(57)【要約】【課題】補充回収金庫の金庫扉が現金処理装置等からの現金の運搬中に開けられたことを正しく判定して不正な金庫扉の開閉を検出する手段を提供する。【解決手段】金庫記憶部を有して金融機関の店舗内で現金を運搬する補充回収金庫と、店舗に設置された現金処理装置と、顧客との取引を行う自動取引装置と、店舗内の自動取引装置の在高情報を監視する監視端末を備え、補充回収金庫の金庫記憶部に補充回収金庫に充填した現金の充填枚数確定日時と補充回収金庫の金庫扉が開けられた金庫扉開日時とを格納し、運搬先の装置が装着された補充回収金庫の金庫記憶部に充填枚数確定日時の後の金庫扉開日時が格納されていることにより金庫扉が現金の運搬中に開けられたことを検出する。【選択図】        図１
2004362032.tif 000002
【特許請求の範囲】
【請求項１】
金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備え、
補充回収金庫の金庫記憶部に、前記補充回収金庫に現金を充填した装置が送信する充填した現金の充填枚数確定日時と、前記補充回収金庫が検知したその金庫扉が開けられた金庫扉開日時とを格納し、運搬先の装置が、装着された前記補充回収金庫の前記金庫記憶部に充填枚数確定日時の後の金庫扉開日時が格納されていることにより、前記金庫扉が現金の運搬中に開けられたことを検出することを特徴とする現金処理システム。
【請求項２】
請求項１において、
前記金庫記憶部に充填された現金の金種毎の枚数を格納しておき、前記運搬先の装置が金庫扉が現金の運搬中に開けられたことを検出した場合に、前記補充回収金庫に収納されている現金の金種毎の枚数を再計数し、該再計数した現金の金種毎の枚数と前記金庫記憶部に格納されている金種毎の枚数とが相違する時に、不正が行われたと判定することを特徴とする現金処理システム。
【請求項３】
請求項２において、
前記金種毎の枚数が相違する時に、前記補充回収金庫に設けてある金庫報知部により警報を発することを特徴とする現金処理システム。
【請求項４】
金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備え、
補充回収金庫の金庫記憶部に、前記補充回収金庫へ充填した現金の運搬先装置名を格納しておき、運搬先の装置が、その装置の記憶部に格納されている装置名と装着された前記補充回収金庫の前記金庫記憶部に格納されている運搬先装置名との不一致を認識した時に、前記運搬先装置名を表示することを特徴とする現金処理システム。
【請求項５】
請求項４において、
前記補充回収金庫に金庫表示部を設け、前記装置名の不一致を認識した時に、前記金庫表示部に運搬先装置名を表示することを特徴とする現金処理システム。
【請求項６】
請求項４または請求項５において、
前記装置名の不一致を認識した時に、前記補充回収金庫に設けてある金庫報知部により運搬先装置名を報知することを特徴とする現金処理システム。
【請求項７】
請求項１から請求項５または請求項６において、
補充回収金庫が、該補充回収金庫へ現金を充填した装置から取外された後の経過時間を計測し、該経過時間が所定の時間を超えた時に、前記補充回収金庫に設けてある金庫報知部により装着忘れ警報を発することを特徴とする現金処理システム。
【請求項８】
請求項１から請求項６または請求項７において、
現金の運搬に用いる補充回収金庫が複数の場合に、その合計金庫個数を補充回収金庫の金庫記憶部に格納しておき、運搬先の装置が、装着された前記補充回収金庫の前記金庫記憶部に格納されている合計金庫個数により複数の補充回収金庫による現金の運搬であることを認識することを特徴とする現金処理システム。
【請求項９】
請求項１から請求項７または請求項８において、
前記補充回収金庫が装着されている装置から取外される前に、金庫記憶部に取外後の前記補充回収金庫の運用状況を格納しておき、前記補充回収金庫が取外された時に、前記補充回収金庫に設けてあるランプにより前記格納された運用状況を異なった色で表示することを特徴とする現金処理システム。
【請求項１０】
請求項１から請求項８または請求項９において、
前記現金処理装置に処理装置記憶部を設け、該処理装置記憶部に補充回収金庫へ充填する現金の金種毎の枚数と充填開始日時とを格納しておき、前記現金処理装置が、前記充填開始日時に装着されている補充回収金庫へ前記金種毎の枚数を充填することを特徴とする現金処理システム。
【請求項１１】
請求項１０において、
前記現金処理装置に処理装置報知部を設け、前記充填が終了した時に、前記処理装置報知部により充填の終了を報知することを特徴とする現金処理システム。
【請求項１２】
請求項１から請求項１０または請求項１１において、
前記現金処理装置に文字読取部を設け、該文字読取部により前記現金処理装置が補充回収金庫へ充填する現金の金種毎の枚数を記載した伝票からその金種毎の枚数を読取り、該読取った金種毎の枚数を補充回収金庫へ充填することを特徴とする現金処理システム。
【請求項１３】
請求項１から請求項１１または請求項１２において、
補充回収金庫の金庫記憶部に、前記自動取引装置が補充回収金庫へ充填した現金の金種毎の枚数を格納しておき、前記現金処理装置が、装着された前記補充回収金庫の前記金庫記憶部に格納されている前記金種毎の枚数により小束施封する金種を自動的に選定することを特徴とする現金処理システム。
【請求項１４】
請求項１から請求項１２または請求項１３において、
前記店舗に前記自動取引装置の在高情報を監視する監視端末を設け、前記現金処理装置が、現金を補充しようとする自動取引装置の在高情報を前記監視端末から取得し、その金種毎の補充枚数を自動的に算出することを特徴とする現金処理システム。
【請求項１５】
請求項１から請求項１２または請求項１３において、
前記店舗に前記自動取引装置の在高情報を監視する監視端末を設け、前記現金処理装置が、前記監視端末から全ての自動取引装置の在高情報を取得し、補充回収金庫が装着された時に、現金の補充が必要な自動取引装置の装置名とその金種毎の補充枚数を通知することを特徴とする現金処理システム。
【請求項１６】
請求項１４または請求項１５において、
前記補充回収金庫と現金処理装置と自動取引装置と監視端末とを無線により接続したことを特徴とする現金処理システム。
【請求項１７】
請求項１６において、
前記自動取引装置が、装着された補充回収金庫の金庫記憶部の金庫情報が読取れない時に、無線により前記監視端末から前記補充回収金庫の金庫記憶部の金庫情報を取得することを特徴とする現金処理システム。
【請求項１８】
請求項１６または請求項１７において、
前記自動取引装置が、現金処理装置へ回収する現金を補充回収金庫へ充填した時に、該補充回収金庫の金庫ＩＤ（Ｉｄｅｎｔｉｆｉｃａｔｉｏｎ）を前記現金処理装置へ通知し、該現金処理装置が、接近した補充回収金庫の金庫記憶部に格納されている金庫ＩＤを無線により受信し、前記通知された金庫ＩＤと受信した金庫ＩＤが一致した時に、自動的に現金処理装置扉を開放することを特徴とする現金処理システム。
【請求項１９】
請求項１６、請求項１７または請求項１８において、
前記店舗の出入口に無線により補充回収金庫の通過を監視する監視ゲートを設け、該監視ゲートが現金が充填された補充回収金庫の通過を検出した時に、その検出結果を前記監視端末へ送信することを特徴とする現金処理システム。
【請求項２０】
請求項１９において、
前記補充回収金庫に現金が充填されている場合に、前記補充回収金庫が、前記監視ゲートの通過を検知した時に、前記補充回収金庫に設けてある金庫報知部により警報を発することを特徴とする現金処理システム。
【請求項２１】
請求項１６から請求項１９または請求項２０において、
前記監視端末が、無線により補充回収金庫の金庫ＩＤを付した探索信号を送信した時に、該当する補充回収金庫がその所在を前記補充回収金庫に設けてある金庫報知部とランプとにより報知することを特徴とする現金処理システム。
【請求項２２】
金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備えた現金処理システムの装置の制御部に、
装着された補充回収金庫の金庫記憶部に格納されている充填された現金の充填枚数確定日時とその金種毎の枚数と前記補充回収金庫の金庫扉が開けられた金庫扉開日時とを読み出す金庫情報読出ステップと、
前記充填枚数確定日時の後の金庫扉開日時が格納されているときに、前記金庫扉が現金の運搬中に開けられたことを検出する運搬中金庫扉開検出ステップと、
前記金庫扉が現金運搬中に開けられたことを検出した場合に、前記補充回収金庫に収納されている現金の金種毎の枚数を再計数する補充回収金庫収納現金再計数ステップと、
該再計数した現金の金種毎の枚数と前記読み出した現金の金種毎の枚数とが相違する時に、これを不正と判定する運搬中金庫扉不正開判定ステップと
不正と判定した時に、前記再計数の結果を表示する再計数結果表示ステップとを実行させることを特徴とする現金処理システムのプログラム。
【請求項２３】
金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備えた現金処理システムの装置の制御部に、
装着されている補充回収金庫へ充填した現金の運搬先装置名を送信する運搬先装置名送信ステップと、
前記補充回収金庫が装着された時にその金庫記憶部に格納されている運搬先装置名を読み出す運搬先装置名読出ステップと、
該読み出した運搬先装置名と装置の記憶部に格納されている装置名との不一致を認識した時に、前記読み出した運搬先装置名を表示する読出運搬先装置名表示ステップとを実行させることを特徴とする現金処理システムのプログラム。
【請求項２４】
請求項２２または請求項２３において、
現金の運搬に用いる補充回収金庫が複数の場合に、その合計金庫個数を装着されている補充回収金庫へ送信する合計金庫個数送信ステップと、
前記補充回収金庫が装着された時に、その金庫記憶部に格納されている合計金庫個数を読み出す合計金庫個数読出ステップと、
該読み出した合計金庫個数により複数の補充回収金庫による現金の運搬であることを認識する複数金庫使用認識ステップとを実行させることを特徴とする現金処理システムのプログラム。
【請求項２５】
請求項２２、請求項２３または請求項２４において、
前記制御部が、現金処理装置の処理装置制御部である場合に、
処理装置記憶部に補充回収金庫へ充填する現金の金種毎の枚数と充填開始日時とを格納する充填予約格納ステップと、
前記充填開始日時が到来した時に、装着されている補充回収金庫へ前記金種毎の枚数を充填する予約現金充填ステップとを実行させることを特徴とする現金処理システムのプログラム。
【請求項２６】
請求項２５において、
文字読取部により補充回収金庫へ充填する現金の金種毎の枚数を記載した伝票からその現金の金種毎の枚数を読取る伝票読取ステップと、
該読取った現金の金種毎の枚数を前記補充回収金庫へ充填する伝票入力現金充填ステップとを実行させることを特徴とする現金処理システムのプログラム。
【請求項２７】
請求項２５または請求項２６において、
前記補充回収金庫が装着された時に、その金庫記憶部に格納されている現金の金種毎の枚数を読み出す収納現金金種読出ステップと、
該読み出した現金の金種毎の枚数により小束施封する金種を選定する小束施封金種選定ステップとを実行させることを特徴とする現金処理システムのプログラム。
【請求項２８】
請求項２５、請求項２６または請求項２７において、
店舗内の前記自動取引装置の在高情報を監視する監視端末から現金を補充しようとする自動取引装置の在高情報を取得する在高情報取得ステップと、
該取得した在高情報を基に、その金種毎の補充枚数を算出する補充枚数算出ステップとを実行させることを特徴とする現金処理システムのプログラム。
【請求項２９】
請求項２５、請求項２６または請求項２７において、
店舗内の前記自動取引装置の在高情報を監視する監視端末から全ての自動取引装置の在高情報を取得する全自動取引装置在高情報取得ステップと、
該取得した全ての自動取引装置の在高情報を基に、現金の補充が必要な自動取引装置を判定する資金不足自動取引装置判定ステップと、
補充回収金庫が装着された時に、前記判定した自動取引装置の装置名とその金種毎の補充枚数とを通知する資金不足自動取引装置通知ステップとを実行させることを特徴とする現金処理システムのプログラム。
【請求項３０】
請求項２５から請求項２８または請求項２９において、
自動取引装置から現金を回収する場合に、前記自動取引装置から通知される回収する現金を充填した補充回収金庫の金庫ＩＤを受付ける金庫ＩＤ受付ステップと、
接近した補充回収金庫の金庫記憶部に格納されている金庫ＩＤを無線により受信する金庫ＩＤ無線受信ステップと、
前記自動取引装置から通知された金庫ＩＤと受信した金庫ＩＤが一致した時に、自動的に現金処理装置扉を開放する現金処理装置扉自動開放ステップとを実行させることを特徴とする現金処理システムのプログラム。
【請求項３１】
請求項２２、請求項２３または請求項２４において、
前記制御部が、自動取引装置のＡＴＭ制御部である場合に、
装着された補充回収金庫の金庫記憶部の金庫情報が読取れない時に、店舗内の現金の移動を監視する監視端末から前記補充回収金庫の金庫記憶部の金庫情報を問合せる金庫情報問合ステップを実行させることを特徴とする現金処理システムのプログラム。
【請求項３２】
金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備えた現金処理システムの補充回収金庫の金庫制御部に、
現金を充填した装置から送信される充填された現金の充填枚数確定日時とその金種毎の枚数とを前記金庫記憶部に格納する金庫情報格納ステップと、
金庫扉が開けられことを検知した時に、その金庫扉開日時を前記金庫記憶部に格納する金庫扉開日時格納ステップと、
装着された装置が、現金の運搬中に前記金庫扉が開けられことを検出した時に送信する収納現金を再計数するための再計数指令を受付ける再計数指令受付ステップと、
前記再計数指令により収納現金の再計数を実行する再計数処理実行ステップと、
前記再計数の判定結果を受信する判定結果受信ステップと、
該判定結果が不正と判定されている時に、金庫報知部により警報を発する不正報知ステップとを実行させることを特徴とする現金処理システムのプログラム。
【請求項３３】
請求項３２において、
前記金庫扉が開けられたことを検知した時に、その金庫扉開日時を無線により店舗内の現金の移動を監視する監視端末へ送信する金庫扉開日時無線送信ステップを実行させることを特徴とする現金処理システムのプログラム。
【請求項３４】
請求項３２または請求項３３において、
現金を充填した装置から送信される運搬先装置名を前記金庫記憶部に格納する運搬先装置名格納ステップと、
装着された装置が、運搬先の装置名の不一致を認識した時に送信する不一致通知を受信する不一致通知受信ステップと、
前記不一致通知を受信した時に、前記格納した運搬先装置名を表示する格納運搬先装置名表示ステップとを実行させることを特徴とする現金処理システムのプログラム。
【請求項３５】
請求項３２、請求項３３または請求項３４において、
現金を充填した装置から取外された後の経過時間を計測する取外後経過時間計測ステップと、
該経過時間が所定の時間を超えた時に、金庫報知部により装着忘れ警報を発する装着忘れ報知ステップとを実行させることを特徴とする現金処理システムのプログラム。
【請求項３６】
請求項３５において、
前記経過時間が所定の時間を超えた時に、その装着忘れ警報を無線により店舗内の現金の移動を監視する監視端末へ送信する装着忘れ警報無線送信ステップとを実行させることを特徴とする現金処理システムのプログラム。
【請求項３７】
請求項３２から請求項３５または請求項３６において、
取外される装置から送信される取外後の運用状況を前記金庫記憶部に格納する運用状況格納ステップと、
前記装置から取外された時に、前記格納した運用状況をランプにより異なった色で表示する運用状況ランプ表示ステップとを実行させることを特徴とする現金処理システムのプログラム。
【請求項３８】
請求項３２から請求項３６または請求項３７において、
店舗内の現金の移動を監視する監視端末が、無線により送信する金庫ＩＤを付した探索信号を受信する探索信号受信ステップと、
前記金庫ＩＤが該当する時に、その所在を金庫報知部とランプとにより報知する金庫所在報知ステップとを実行させることを特徴とする現金処理システムのプログラム。
【請求項３９】
請求項３２から請求項３７または請求項３８において、
店舗の出入口に設置された無線により補充回収金庫の通過を監視する監視ゲートから無線による金庫情報送信依頼を受付ける金庫情報送信依頼無線受付ステップと、
前記金庫情報送信依頼を受付けたことにより、前記監視ゲートの通過を検知する監視ゲート通過検知ステップと、
前記監視ゲートの通過を検知した時、現金が充填されている場合に金庫報知部により警報を発する監視ゲート通過報知ステップとを実行させることを特徴とする現金処理システムのプログラム。
【発明の詳細な説明】
【０００１】
【発明の属する技術分野】
本発明は、金融機関の店舗に設置された現金処理装置と自動取引装置とに着脱可能に構成された補充回収金庫により現金処理装置と自動取引装置との間の現金の運搬を行うときの現金処理システムおよびそのプログラムに関する。
【０００２】
【従来の技術】
従来の現金処理システムは、金融機関の店舗に設置された現金処理装置と顧客との取引を行う自動取引装置とに着脱可能に構成された金庫記憶部を有する補充回収金庫とを用いて、補充回収金庫が自動取引装置に装着された時に補充回収金庫の金庫記憶部に格納されている金庫扉の開閉検知記録データをチェックし、金庫扉が途中で開けられたことが判明すると内部モニタにその旨を表示して係員による確認作業を行っている。
【０００３】
また、現金処理装置から自動取引装置へ現金を補充する場合は、金庫記憶部に運搬先の自動取引装置の装置名と補充金額を格納し、自動取引装置に装着された補充回収金庫の金庫記憶部に格納された自動取引装置の装置名が不一致の時には内部モニタにその旨を表示して係員による確認作業を行っている。
【０００４】
更に、店舗に設置された自動取引装置への現金の補充金額の決定は、集中管理センタに設置された金融機関全体の現金を管理する現金管理装置が対象となる自動取引装置とその補充金額を決定し、これを個々の店舗の現金処理装置へ送信して現金処理装置のプリンタにより補充対象の自動取引装置のリストを出力し、係員がこのリストに従って自動取引装置を巡回しながら現金を収納した補充回収金庫を交換して自動取引装置への現金の補充を行っている（例えば、特許文献１参照。）。
【０００５】
【特許文献１】
2004362032.tif 000003
【０００６】
【発明が解決しようとする課題】
しかしながら、上述した従来の技術においては、補充回収金庫の金庫扉が途中で開けられたことを金庫扉の開閉検知記録データのみで判定してその旨を内部モニタに表示し、現金の補充を中止して係員による確認作業を行っているため、その金庫扉の開閉が現金処理装置による補充回収金庫への現金の充填前に行われた場合や単に点検のために行われた場合においても常に自動取引装置への補充を中止しなければならず、自動取引装置への現金の補充が遅滞するばかりか、いつ開けられたのかが不明であるため、係員の確認作業に多大な時間を要するという問題がある。
【０００７】
また、係員が補充対象の自動取引装置のリストを参照しながら自動取引装置への補充を行い、補充回収金庫を間違えて自動取引装置へ装着した場合にその旨のみが内部モニタに表示されるため、補充対象の自動取引装置のＡＴＭ機番のみしか記載されていないリストを再度参照しても間違えて装着した補充回収金庫をどの自動取引装置に装着すればよいのかを確認することができず、補充回収金庫の収納現金を回収して再充填する等、多大な混乱を生じるという問題がある。
【０００８】
更に、集中管理センタに設置された現金管理装置が一括して補充対象の自動取引装置や補充金額を決定して店舗の現金処理装置に通知し、係員が出力されたリストに従って現金の補充を行っているため、通信回線の故障等により店舗の現金処理装置への通知が停止された場合には、自動取引装置への現金の補充が停滞し、自動取引装置の資金不足が生ずる恐れがあるという問題がある。
【０００９】
本発明は、上記の問題点を解決するためになされたもので、補充回収金庫の金庫扉が現金処理装置等からの現金の運搬中に開けられたことを正しく判定して不正な金庫扉の開閉を検出する手段を提供することを目的とする。
【００１０】
また、補充回収金庫を間違えて自動取引装置に装着した場合においても円滑に自動取引装置への補充を行うことができる手段を提供することを目的とする。
【００１１】
更に、通信回線の故障時においても自動取引装置の資金不足による混乱を防止する手段を提供することを目的とする。
【００１２】
【課題を解決するための手段】
本発明は、上記課題を解決するために、金庫記憶部を有して金融機関の店舗内で現金を運搬する補充回収金庫と、補充回収金庫へ現金を充填すると共に補充回収金庫から現金を回収する装置である現金処理装置と、補充回収金庫へ現金処理装置に回収する現金を充填すると共に補充回収金庫から現金の補充を受ける装置である顧客との取引を行う自動取引装置とを備え、補充回収金庫の金庫記憶部に、前記補充回収金庫に現金を充填した装置が送信する充填した現金の充填枚数確定日時と、前記補充回収金庫が検知したその金庫扉が開けられた金庫扉開日時とを格納し、運搬先の装置が、装着された前記補充回収金庫の前記金庫記憶部に充填枚数確定日時の後の金庫扉開日時が格納されていることにより、前記金庫扉が現金の運搬中に開けられたことを検出することを特徴とする。
【００１３】
そして、現金処理システムの装置の制御部に、装着された補充回収金庫の金庫記憶部に格納されている充填された現金の充填枚数確定日時とその金種毎の枚数と前記補充回収金庫の金庫扉が開けられた金庫扉開日時とを読み出す金庫情報読出ステップと、前記充填枚数確定日時の後の金庫扉開日時が格納されているときに、前記金庫扉が現金の運搬中に開けられたことを検出する運搬中金庫扉開検出ステップと、前記金庫扉が現金運搬中に開けられたことを検出した場合に、前記補充回収金庫に収納されている現金の金種毎の枚数を再計数する補充回収金庫収納現金再計数ステップと、該再計数した現金の金種毎の枚数と前記読み出した現金の金種毎の枚数とが相違する時に、これを不正と判定する運搬中金庫扉不正開判定ステップと不正と判定した時に、前記再計数の結果を表示する再計数結果表示ステップとを実行させることを特徴とする。
【００１４】
また、補充回収金庫の金庫記憶部に、前記補充回収金庫へ充填した現金の運搬先装置名を格納しておき、運搬先の装置が、その装置の記憶部に格納されている装置名と装着された前記補充回収金庫の前記金庫記憶部に格納されている運搬先装置名との不一致を認識した時に、前記運搬先装置名を表示することを特徴とする。
【００１５】
そして、現金処理システムの装置の制御部に、装着されている補充回収金庫へ充填した現金の運搬先装置名を送信する運搬先装置名送信ステップと、前記補充回収金庫が装着された時にその金庫記憶部に格納されている運搬先装置名を読み出す運搬先装置名読出ステップと、該読み出した運搬先装置名と装置の記憶部に格納されている装置名との不一致を認識した時に、前記読み出した運搬先装置名を表示する読出運搬先装置名表示ステップとを実行させることを特徴とする。
【００１６】
更に、前記店舗に前記自動取引装置の在高情報を監視する監視端末を設け、前記現金処理装置が、前記監視端末から全ての自動取引装置の在高情報を取得し、補充回収金庫が装着された時に、現金の補充が必要な自動取引装置の装置名とその金種毎の補充枚数を通知することを特徴とする。
【００１７】
更に、前記補充回収金庫と現金処理装置と自動取引装置と監視端末とを無線により接続したことを特徴とする。
【００１８】
【発明の実施の形態】
以下に、図面を参照して本発明による現金処理システムの実施の形態について説明する。
【００１９】
第１実施の形態例
図１は第１実施の形態を示すブロック図、図２は第１実施の形態の現金処理装置を示すブロック図、図３は第１実施の形態の自動取引装置を示すブロック図、図４は第１実施の形態の補回金庫を示すブロック図、図５は第１実施の形態の監視端末を示すブロック図である。
【００２０】
図１において、１は金融機関の支店等の店舗に設置された現金処理装置であり、出納係や行員等の係員が操作して自動取引装置２へ補充する紙幣や硬貨（現金という。）の出金や自動取引装置２から回収される現金の入金および顧客との大口の現金による取引等の業務を行う。
【００２１】
自動取引装置２は金融機関の店舗に設置されており、顧客との現金による自動取引を行う。
【００２２】
３は補充回収金庫（以下、補回金庫という。）であり、現金処理装置１と自動取引装置２の双方に装着互換性を有して着脱可能に構成され、現金処理装置１から自動取引装置２へ補充する現金や自動取引装置２から現金処理装置１へ回収する現金を収納して運搬するために使用される。
【００２３】
また、補回金庫３には特定の係員が所持する鍵で開閉できる金庫扉が設けられており、通常は収納された紙幣に手を触れずに紙幣を運搬する金庫であって、バッテリ等の可搬式の電源を装備して外部から電力の供給を受けることなく作動が行えるように構成する。
【００２４】
４はパーソナルコンピュータ等の監視端末であり、店舗に設けられた店内ＬＡＮ（Ｌｏｃａｌ  Ａｒｅａ  Ｎｅｔｗｏｒｋ）５により、現金処理装置１や自動取引装置２と接続しており、店舗内の現金の移動を常に監視して自動取引装置１に収納されている現金の在高等の在高情報を監視している。
【００２５】
図２において、６は現金処理装置１の処理装置制御部であり、現金処理装置１の各部を制御すると共に店内ＬＡＮ５に接続してデータ通信も制御する。
【００２６】
７は処理装置記憶部であり、処理装置制御部６が実行するプログラムや現金処理装置１の操作履歴、処理装置制御部６による処理結果等が格納される。
【００２７】
８は処理装置表示操作部であり、ＬＣＤ等の表示画面とタッチパネル等の位置信号検出手段との組合せで構成されており、その表示画面に係員が行う処理装置業務の処理装置業務選択画面やその入力画面等を表示する一方、位置信号検出手段により係員からの入力を受付ける。
【００２８】
９は入力部であり、係員を識別するための係員ＩＤ（ｉｄｅｎｔｉｆｉｃａｔｉｏｎ）等の係員情報を記録した係員カードの読取りを行う処理装置カードリーダ９ａや係員が現金の金種毎の出金枚数等を入力するキーボード９ｂ、出金する現金等の計数を開始するための「計数開始」ボタンや入力操作等の終了を指示するための「完了」ボタン等の指示ボタン９ｃ等の入力手段が設けられている。
【００２９】
なお、「計数開始」ボタンや「完了」ボタン等の指示ボタン９ｃは、キーボードに設けられているファンクションキーを指示ボタン９ｃとして利用するようにしてもよい。
【００３０】
１０は補充回収部であり、補回金庫３が着脱可能なように構成されており、自動取引装置２へ補充する現金を補回金庫３へ充填する機能や自動取引装置２から補回金庫３により回収された現金を受取る機能を有している。
【００３１】
また、補充回収部１０には補回金庫３を着脱する際に開閉する現金処理装置扉が設けられている。
【００３２】
１１は処理装置紙幣入出金部であり、入金口から投入された紙幣や補回金庫３により回収された紙幣を受入れ、これを鑑別、計数して金種別に金種別金庫に収納する一方、金種別金庫から紙幣を繰出して出金口へ払出す機能および自動取引装置２へ補充する紙幣を金種別金庫から繰出して補充回収部１０へ搬送する機能を有している。
【００３３】
１２は小束施封部であり、紙幣を一定枚数、例えば１００枚毎に束ねて紙帯等で施封して小束として収納すると共に小束に施封された小束紙幣を払出す機能を有している。
【００３４】
１３は文字読取部であり、スキャナ等で読取った伝票等の画像から文字画像を抽出して文字として認識する機能を有している。
【００３５】
１４は印刷部であり、各種の業務処理の結果を紙葉に印刷するプリンタや現金処理装置１による業務処理の履歴を印刷して保存するジャーナルプリンタ等を備えている。
【００３６】
１５は処理装置報知部であり、ブザーおよび／もしくはスピーカにより構成され、処理装置業務処理の終了や注意の喚起等を音および／もしくは音声で報知する。
【００３７】
上記の補充回収部１０と処理装置紙幣入出金部１１および小束施封部１３は互いに搬送路により接続して相互に紙幣の搬送が可能なように構成されている。
【００３８】
なお、現金処理装置１には、他に硬貨入出金部や棒金支払部、新券支払部等のユニットや外部記憶装置等を装備するようにしてもよい。
【００３９】
図３において、２１は自動取引装置２のＡＴＭ制御部であり、自動取引装置２の各部を制御すると共に店内ＬＡＮ５に接続してデータ通信も制御する。
【００４０】
また、ＡＴＭ制御部２１は顧客の口座の口座番号やその暗証番号、口座残高等の顧客情報を格納する元帳ファイルにより顧客の口座を管理する図示しないホストコンピュータと専用回線や電話回線等の通信回線を介して相互にデータ通信可能なように接続される。
【００４１】
２２はＡＴＭ記憶部であり、ＡＴＭ制御部２１が実行するプログラムや自動取引装置２の操作履歴、ＡＴＭ制御部２１による処理結果等が格納される。
【００４２】
２３は顧客操作部であり、自動取引装置２の前面に設けられ、ＬＣＤ等の表示画面とタッチパネル等の位置信号検出手段との組合せで構成されており、表示画面に顧客との取引選択画面や顧客の処置を促す画面等を表示する一方、位置信号検出手段により顧客からの入力を受付ける。
【００４３】
２４はカード取扱部であり、挿入された顧客のキャッシュカード等の取引カードの磁気ストライプに記録されている口座番号等のカード情報を読み書きすると共に取引明細票等を印刷する機能を有している。
【００４４】
２５は通帳取扱部であり、挿入された顧客の通帳の磁気ストライプに記録されている通帳情報を読み書きすると共に取引内容等を挿入された通帳に記帳する機能を有している。
【００４５】
２６はＡＴＭ紙幣入出金部であり、顧客が投入した紙幣を受入れ、これを鑑別、計数して収納すると共に顧客に払出す紙幣を排出する機能を有する。
【００４６】
また、ＡＴＭ紙幣入出金部２６は、補回金庫３が着脱可能なように構成されており、補回金庫３により運搬された補充紙幣を紙幣金庫に収納すると共に補回金庫３へ回収する紙幣を紙幣金庫から繰出して排出する機能を有している。
【００４７】
２７はジャーナルプリンタであり、自動取引装置２による顧客との取引処理や係員によるＡＴＭ業務処理の履歴等を印刷して保存する機能を有している。
【００４８】
２８は係員操作部であり、自動取引装置２の背面側に設けられ、ＬＣＤ等の表示画面とタッチパネル等の位置信号検出手段との組合せで構成されたＡＴＭ表示操作部２８ａが設けられており、表示画面に係員が行うＡＴＭ業務や取引モードの設定等を行うＡＴＭ業務選択画面を表示すると共に、位置信号検出手段により係員からの入力を受付ける。
【００４９】
また、係員操作部２８には係員カードの係員情報を読取るＡＴＭカードリーダ２８ｂが設けられている。
【００５０】
なお、自動取引装置２には、他に顧客が投入した硬貨を受入れ、これを鑑別、計数して収納し、収納している硬貨を顧客に払出す機能を有する硬貨入出金部を設けるようにしてもよい。
【００５１】
また、上記の取引カードや係員カードは磁気カードや限らず、接触式または非接触式のＩＣカード等の情報記録媒体であってもよい。
【００５２】
この場合に情報記録媒体の記録部に上記のそれぞれの情報を記録するようにし、現金処理装置１の処理装置カードリーダ９ａや自動取引装置２のＡＴＭカードリーダ２８ｂおよび自動取引装置２のカード取扱部２４には接触または非接触の手段によって情報記録媒体に記録されている情報を読み書きする機能を単独にまたは磁気データ読取機能に追加して備えるようにする。
【００５３】
図４において、３１は補回金庫３の金庫制御部であり、補回金庫３の各部を制御すると共に、接続部３２により現金処理装置１の補充回収部１０および自動取引装置２のＡＴＭ紙幣入出金部２６と電気的に接続してデータの送受を行う。
【００５４】
３３は金庫記憶部であり、接続部３２により金庫制御部３１が受取った情報や後述する金庫扉開閉検知部３５が検知した金庫扉の開閉日時等が格納される。
【００５５】
３４は金庫表示部であり、ＬＣＤ等の表示画面で構成されており、運搬先の自動取引装置２のＡＴＭ機番等を表示する。
【００５６】
３５は金庫扉開閉検知部であり、金庫扉の開閉を検知してその信号を金庫制御部３１へ転送する。
【００５７】
３６は紙幣搬送部であり、補回金庫３の金庫収納庫に収納されている紙幣を１枚毎に分離して繰出すと共に補回金庫３へ充填される紙幣を金庫収納庫へ集積する分離集積機構を備えており、現金処理装置１の補充回収部１０および自動取引装置２のＡＴＭ紙幣入出金部２６の紙幣搬送路と機械的に接続して紙幣の搬出、搬入を行う。
【００５８】
３７は金庫報知部であり、ブザーおよび／もしくはスピーカにより構成され、注意の喚起等を音および／もしくは音声で報知する。
【００５９】
３８はランプであり、色の異なった複数のランプまたは複数の色を発光することができるランプ等の複数色のランプであって、補回金庫３の補回金庫３の運用状況、例えば未使用、運搬中、故障の別を異なった色により表示すると共に点滅等によりその所在を報知する。
【００６０】
なお、補回金庫３には、他に硬貨を収納して現金処理装置１や自動取引装置２へ搬出、搬入する硬貨収納部等を設けるようにしてもよい。
【００６１】
図５において、４１は監視端末４の端末制御部であり、監視端末４の各部を制御すると共に店内ＬＡＮ５に接続して店舗内の自動取引装置２等の現金の移動を監視する。
【００６２】
４２は端末記憶部であり、端末制御部４１が実行するプログラムや自動取引装置２毎の在高情報等が格納される。
【００６３】
４３は端末表示部であり、ＬＣＤ等の表示画面で構成されており、各自動取引装置２の在高情報等を表示するための入力画面や現金処理システムの異常等を表示する。
【００６４】
４４は端末報知部であり、ブザーおよび／もしくはスピーカにより構成され、異常の発生等を音および／もしくは音声で報知する。
【００６５】
上述した構成の作用について説明する。
【００６６】
以下の説明においては、補回金庫３により現金としての紙幣を現金処理装置１や自動取引装置へ運搬する場合の作動について説明するが、現金としての硬貨を運搬する場合や紙幣と硬貨を合せて運搬する場合も同様である。
【００６７】
本実施の形態の現金処理システムは、現金処理装置１から自動取引装置２へ補充する補充紙幣を補回金庫３へ充填する現金処理装置１による補充紙幣充填処理と、補回金庫３により運搬された補充紙幣を自動取引装置２へ補充する自動取引装置２の紙幣補充処理と、自動取引装置２から現金処理装置１へ回収する回収紙幣を補回金庫３へ充填する自動取引装置２のよる回収紙幣充填処理と、補回金庫３により運搬された回収紙幣を現金処理装置１へ回収する現金処理装置１の紙幣回収処理と、補回金庫３による補充紙幣や回収紙幣の運搬中に補回金庫３が実行する運用処理と、監視端末４により店舗内の現金の移動を監視する監視端末４の監視処理とにより実行される。
【００６８】
また、現金処理装置１の処理装置記憶部７には現金処理装置１を識別するための番号（処理装置機番という。）が、自動取引装置２のＡＴＭ記憶部２２には自動取引装置２を識別するための番号（ＡＴＭ機番という。）が予め設定されて格納されており、補回金庫３の金庫記憶部３３には、図６に示すデータ構成を有する金庫情報を格納するための金庫情報格納エリアが確保されており、補回金庫３を識別するための番号（金庫ＩＤという。）が金庫情報の項目番号ｍ１に予め設定されて格納されている。
【００６９】
以下に、図７に示すフローチャートを用い、Ｓで示すステップに従って現金処理装置１の処理装置業務処理の作動について説明する。
【００７０】
本実施の形態の現金処理装置１の処理装置記憶部７には、現金処理装置１による入出金処理等の通常の処理装置業務を実行するための「処理装置業務実行プログラム」に、自動取引装置２へ補充する紙幣を補回金庫３へ充填するための「補充紙幣充填処理サブプログラム」および補回金庫３により運搬された回収紙幣を現金処理装置１に回収するための「紙幣回収処理サブプログラム」が追加されて格納されている。
【００７１】
Ｓ１、現金処理装置１の処理装置制御部６は、処理装置記憶部７に格納されている「処理装置業務実行プログラム」により処理装置表示操作部８の画面に係員カードの挿入を促す旨の文言等を表示した処理装置初期画面を表示して待機する一方、監視端末４（後述する図１５のステップＳＫ１６）から定期的にまたは必要に応じて送信される監視情報の受信を待つ監視情報受信待状態で待機し、監視情報を受信した時にステップＳ２へ移行する。
【００７２】
監視情報を受信しない場合はステップＳ４へ移行する。
【００７３】
なお、監視情報には店舗に設置されている全ての自動取引装置２のＡＴＭ機番とその金種毎の在高からなる在高情報の添付されている。
【００７４】
Ｓ２、監視情報を受信した処理装置制御部６は、顧客との取引のための紙幣の補充が必要な資金不足の自動取引装置２を判定し、資金不足の自動取引装置２が存在する場合はステップＳ３へ、存在しない場合はステップＳ４へ移行する。
【００７５】
Ｓ３、資金不足の自動取引装置２の存在を判定した処理装置制御部６は、その業務番号を採番すると共に補充に複数の補回金庫３が必要な場合はその合計個数（合計金庫個数という。）を算出し、業務番号と資金不足の自動取引装置２のＡＴＭ機番やその金種毎の補充枚数（新紙幣と旧紙幣の別を含む。）、合計金庫個数等を資金補充情報として処理装置記憶部７に一時保存する。
【００７６】
なお、上記の新紙幣は紙幣の改刷後における紙幣をいい、旧紙幣は改刷前の紙幣をいう。
【００７７】
Ｓ４、処理装置制御部６は、入力部９の処理装置カードリーダ９ａが係員カードを検知するのを待つ係員カード検知待状態で待機し、係員カードを検知した時にステップＳ５へ移行する。
【００７８】
係員カードを検知しない場合は、ステップＳ１へ戻って上記のステップＳ１〜Ｓ４の待機を継続する。
【００７９】
Ｓ５、係員カードを検知した処理装置制御部６は、処理装置カードリーダ９ａにより係員カードに記録されている係員情報を読取る。
【００８０】
Ｓ６、係員情報を読取った処理装置制御部６は、処理装置表示操作部８の画面に係員情報の係員ＩＤによりその係員に許可されている業務処理を表示した処理装置業務選択画面を表示する。
【００８１】
処理装置業務選択画面には、自動取引装置２へ補充する紙幣を補回金庫３へ充填する補充紙幣充填処理を行うための「補充充填」ボタン、補回金庫３により自動取引装置２から回収された紙幣を回収する紙幣回収処理を行うための「紙幣回収」ボタンおよび入金処理や出金処理等のその他の通常処理装置業務処理を行うための処理装置業務選択ボタン等が表示される。
【００８２】
係員は実行する処理装置業務処理を選択してその処理装置業務選択ボタンを押下する。
【００８３】
Ｓ７、係員が押下した処理装置業務選択ボタンの内容をタッチパネルからの位置信号等により認識した処理装置制御部６は、押下された処理装置業務選択ボタンが「補充充填」ボタンである場合には、接続子Ａを介して図８に示すステップＳＡ１へ分岐し、「補充紙幣充填処理サブプログラム」による現金処理装置１の補充紙幣充填処理を実行する。
【００８４】
他の処理装置業務選択ボタンが押下された場合にはステップＳ８へ移行する。
【００８５】
Ｓ８、係員が押下した処理装置業務選択ボタンが「紙幣回収」ボタンである場合には、処理装置制御部６は接続子Ｇを介して図１４に示すステップＳＧ１へ分岐し、「紙幣回収処理サブプログラム」による現金処理装置１の紙幣回収処理を実行する。
【００８６】
他の処理装置業務選択ボタンが押下された場合にはステップＳ９へ移行する。
【００８７】
Ｓ９、他の処理装置業務処理ボタンが押下されたことを認識した処理装置制御部６は、「処理装置業務実行プログラム」により選択された通常の処理装置業務処理を実行する。
【００８８】
なお、現金処理装置１の処理装置制御部６による他の処理装置業務処理の作動は、通常の処理装置業務処理の作動と同様であるのでその説明を省略する。
【００８９】
通常の処理装置業務処理が終了すると、処理装置制御部６はその処理装置業務処理を終了させてステップＳ１へ戻り、処理装置表示操作部８の画面に処理装置初期画面を表示して上記のステップＳ１〜Ｓ４の待機状態で待機する。
【００９０】
自動取引装置２のＡＴＭ紙幣入出部２６の紙幣金庫の紙幣が不足しかけた場合等に、係員は上記の現金処理装置１の補充紙幣充填処理を選択して補充紙幣を補回金庫３へ充填し、これを自動取引装置２へ運搬して自動取引装置２へ紙幣を補充する。
【００９１】
以下に、現金処理装置１の補充紙幣充填処理が選択された場合の作動について図８に示すフローチャートを用い、ＳＡで示すステップに従って説明する。
【００９２】
ＳＡ１、上記ステップＳ７（図７）で補充紙幣充填処理が選択されたことを認識した現金処理装置１の処理装置制御部６は、処理装置表示操作部８の画面に補回金庫３の装着を促す旨の文言等を表示して係員が現金処理装置扉を開けて補充回収部１０への補回金庫３を装着するのを待つ補回金庫装着待状態で待機し、補回金庫３の装着を検知した時にステップＳＡ２へ移行する。
【００９３】
ＳＡ２、補回金庫３の装着を検知した処理装置制御部６は、処理装置記憶部７の資金補充情報の有無を確認し、資金補充情報が一時保存されている場合はステップＳＡ３へ、資金補充情報が一時保存されていない場合はステップＳＡ４へ移行する。
【００９４】
ＳＡ３、処理装置制御部６は、処理装置表示操作部８の画面に資金補充情報の自動取引装置２のＡＴＭ機番とその金種毎の補充枚数等や自動取引装置２への補充を促す旨の文言等を表示した資金補充依頼画面を表示する。
【００９５】
係員は表示された内容を確認し、合計金庫個数の変更が必要な場合は画面に表示されている合計金庫個数入力欄にその個数を入力して入力部９の「計数開始」ボタンを押下する。
【００９６】
これを検知した処理装置制御部６は、業務番号と資金不足の自動取引装置２のＡＴＭ機番とその金種毎の補充枚数、合計金庫個数等からなる充填情報を生成してステップＳＡ１１へ移行する。
【００９７】
ＳＡ４、資金不足の自動取引装置２が存在しないことを確認した処理装置制御部６は、処理装置表示操作部８の画面に補充業務選択画面を表示する。
【００９８】
補充業務選択画面には、補回金庫３への紙幣の充填を予約しておくための「充填予約」ボタン、伝票により紙幣の充填枚数等を入力するための「伝票入力」ボタンおよび係員が入力部９により紙幣の充填枚数等を入力するための「手入力」ボタン等が表示される。
【００９９】
係員は実行する補充業務を選択してその補充選択ボタンを押下する。
【０１００】
ＳＡ５、係員が押下した補充選択ボタンの内容を認識した処理装置制御部６は、押下された補充選択ボタンが「充填予約」ボタンの場合は接続子Ｂを介して図９に示すステップＳＢ１へ分岐し、現金処理装置１の充填予約処理を実行する。
【０１０１】
他の補充選択ボタンが押下された場合にはステップＳＡ６へ移行する。
【０１０２】
ＳＡ６、処理装置制御部６は係員が押下した補充選択ボタンが「伝票入力」ボタンの場合はステップＳＡ７へ、「手入力」ボタンの場合はステップＳＡ８へ移行する。
【０１０３】
ＳＡ７、「伝票入力」ボタンが押下されたことを認識した処理装置制御部６は、処理装置表示操作部８の画面に文字読取部１３への伝票の載置または挿入を促す旨の文言等を表示する。
【０１０４】
そして、係員が伝票を載置または挿入したことを検知して文字読取部１３のスキャナ等により伝票の画像を読取り、文字画像を抽出して伝票に記載された業務番号や補充を要する自動取引装置２のＡＴＭ機番とその金種毎の補充枚数、合計金庫個数等の充填情報を文字として認識し、係員が入力部９の「計数開始」ボタンを押下したことを検知してステップＳＡ１１へ移行する。
【０１０５】
ＳＡ８、「手入力」ボタンが押下されたことを認識した処理装置制御部６は、その業務番号を採番し、処理装置表示操作部８の画面に充填情報の入力欄等を表示した充填情報入力画面を表示する。
【０１０６】
係員は予め入手した現金処理装置１の印刷部１４によって印刷された伝票またはリスト等に基づいて入力部９のキーボード９ｂ等により充填情報を入力（以下、係員が入力する場合は同様である。）して入力部９の「計数開始」ボタンを押下する。
【０１０７】
ＳＡ９、係員の充填情報の入力を認識した処理装置制御部６は、金種毎の充填枚数が入力されている場合はステップＳＡ１１へ、充填枚数が入力されていない場合はステップＳＡ１０へ移行する。
【０１０８】
ＳＡ１０、金種毎の充填枚数が入力されていないことを認識した処理装置制御部６は、補充する自動取引装置２のＡＴＭ機番を付した在高情報問合電文を作成して店内ＬＡＮ５を介して監視端末４（後述する図１５のステップＳＫ１３）へ送信し、監視端末４から該当する自動取引装置２の在高情報を受信して自動取引装置３への金種毎の補充枚数を算出し、これにより充填情報を生成してステップＳＡ１１へ移行する。
【０１０９】
ＳＡ１１、処理装置制御部６は、装着されている補回金庫３へ補充紙幣を充填するために接続部３２を介して補回金庫３（後述する図１０のステップＳＣ１７）へ動作指令としての収納指令を送信する。
【０１１０】
ＳＡ１２、収納指令を送信した処理装置制御部６は、充填情報を基に現金処理装置１による補回金庫３への紙幣の充填処理を実行する。
【０１１１】
すなわち、処理装置制御部６は処理装置紙幣入出金部１１から充填情報の金種毎の補充枚数に相当する紙幣を順に繰出して鑑別部へ搬送し、金種や枚数等を確認した紙幣を補充回収部１０へ搬送して装着されている補回金庫３の紙幣搬送部３６へ受渡す。補回金庫３の金庫制御部３１は紙幣搬送部３６に受渡された紙幣をその金庫収納庫へ集積する。
【０１１２】
そして、補回金庫３への紙幣の充填が終了すると処理装置制御部６は充填した金種毎の紙幣枚数等を処理装置表示操作部８の画面に表示し、係員は表示内容を確認して入力部９の「完了」ボタンを押下する。
【０１１３】
なお、上記において補回金庫３へ充填する紙幣は係員が処理装置紙幣入出金部１１の入金口に投入した紙幣を鑑別、計数して上記と同様にして補回金庫３に充填するようにしてもよい。
【０１１４】
ＳＡ１３、「完了」ボタンの押下を検知した処理装置制御部６は、装着されている補回金庫３の運用状況（図６に示す金庫情報の項目番号ｍ２、本実施の形態では補充紙幣を充填したので項目番号ｍ２を「運搬中」として書込む。）、業務番号（ｍ３）、合計金庫個数（ｍ４）とその何番目の金庫であるかを示す金庫番号（ｍ５）、上記ステップＳ５（図７）で読取った係員ＩＤ（ｍ６）、補回金庫３に充填した紙幣の枚数を確定した日時（前記の「完了」ボタンを検知した日時）である充填枚数確定日時（ｍ７）、確定した新旧紙幣の別を付した金種毎の紙幣枚数（ｍ８〜ｍ１４）とこれらを基に算出した合計金額（ｍ１５）、補回金庫３が取外された装置である金庫取外装置名（ｍ１６、本実施の形態では現金処理装置１の処理装置機番）および補回金庫３の運搬先の装置である運搬先装置名（ｍ１７、本実施の形態では補充先の自動取引装置２のＡＴＭ機番）等の書込情報を作成し、これを接続部３２を介して補回金庫３（後述する図１０のステップＳＣ１９）へ送信する。
【０１１５】
書込情報を受信した補回金庫３の金庫制御部３１は、この書込情報を金庫記憶部３３の金庫情報の図６にｍ２〜ｍ１７で示した項目に格納して金庫情報を更新する。
【０１１６】
なお、複数の補回金庫３を必要としない１つの補回金庫３への充填の場合は、合計金庫個数および金庫個数は共に「１」として書込まれる。
【０１１７】
また、運用状況は、例えば後述する自動取引装置２への紙幣補充処理（図１２）の終了時に補回金庫３が空のまま取外された場合等には「未使用」と、現金処理装置１が紙幣を充填できないときや金庫記憶部３３の金庫情報が読み出せないとき等の故障と判定した場合は「故障」として書込まれる。
【０１１８】
ＳＡ１４、補回金庫３への書込情報の送信を終えた処理装置制御部６は、この補回金庫３への充填処理による書込情報に金庫ＩＤを添付した充填確定情報を作成し、これを店内ＬＡＮ５を介して監視端末４（後述する図１５のステップＳＫ９）へ送信する。
【０１１９】
ＳＡ１５、監視端末４への充填確定情報の送信を終えた処理装置制御部６は、充填情報の合計金庫個数が「１」以下の場合はステップＳＡ１７へ、合計金庫個数が「２」以上の場合はステップＳＡ１６へ移行する。
【０１２０】
ＳＡ１６、複数個の補回金庫３による紙幣の運搬であることを認識した処理装置制御部６は、その旨および係員に補回金庫３の交換を促す旨の文言を表示した補回金庫交換依頼画面を処理装置表示操作部８の画面に表示し、新たな補回金庫３が補充回収部１０に装着されるとステップＳＡ１１へ戻って上記と同様にして充填処理を行い、補回金庫３へ書込情報を送信しながら合計金庫個数に相当する回数繰返して全ての補回金庫３へ紙幣を充填する。
【０１２１】
なお、書込情報の内、図６の項目番号ｍ３に示す業務番号には同一の業務番号が、項目番号ｍ５に示す金庫番号には上記の繰返し作動の中で順に付与された金庫番号が書込まれる。
【０１２２】
ＳＡ１７、補回金庫３への紙幣の充填を終えた処理装置制御部６は、処理装置表示操作部８の画面に充填処理が終了した旨および補回金庫３の取外を依頼する旨の文言等を表示した充填終了画面を表示する。
【０１２３】
係員は表示された内容を確認して補回金庫３を現金処理装置１の補充回収部１０から取外し、入力部９の「完了」ボタンを押下する。
【０１２４】
ＳＡ１７、「完了」ボタンの押下を検知した処理装置制御部６は、補充回収部１０から補回金庫３が取外されたことを確認して補充紙幣充填処理を終了させ、接続子Ｚを介して図７に示す現金処理装置１の処理装置業務処理へ復帰し、ステップＳ１へ戻って処理装置表示操作部８の画面に処理装置初期画面を表示してステップＳ１〜Ｓ４の待機状態で待機する。
【０１２５】
この時、上記の充填処理が上記ステップＳＡ３における資金補充情報に基づいて行われた場合は、処理装置制御部６は処理装置記憶部７に一時保存している該当する自動取引装置２の資金補充情報を消去する。
【０１２６】
このような現金処理装置１による補充紙幣充填処理の過程で充填予約処理が選択された場合の作動について図９に示すフローチャートを用い、ＳＢで示すステップに従って説明する。
【０１２７】
ＳＢ１、上記ステップＳＡ５（図８）で充填予約処理が選択されたことを認識した現金処理装置１の処理装置制御部６は、その業務番号を採番して上記ステップＳＡ８（図８）と同様の充填情報入力画面に充填開始日時の入力欄等を追加した充填予約入力画面を表示する。
【０１２８】
係員は充填情報や充填開始日時等の予約内容を入力し、入力部９の「完了」ボタンを押下する。これを検知した処理装置制御部６は業務番号に自動取引装置２のＡＴＭ機番や金種毎の補充枚数、充填開始日時等を添付して充填処理実行状況を「未」とした充填予約情報を処理装置記憶部７に格納する。
【０１２９】
なお、複数の予約が行われた場合には、それぞれの充填予約情報を処理装置記憶部７に格納する。
【０１３０】
ＳＢ２、充填予約情報の格納を終えた処理装置制御部６は、その時計機能により充填開始日時の到来を待つ充填開始日時待状態で待機し、充填開始日時になった時にステップＳＢ３以降の割込処理を実行する。
【０１３１】
ＳＢ３、処理装置制御部６は、上記ステップＳＡ１１（図８）と同様にして補回金庫３へ収納指令を送信する。
【０１３２】
ＳＢ４、処理装置制御部６は、補回金庫３の金庫情報の書込情報の運用状況を参照して補充回収部１０に「未使用」の補回金庫３が装着されていることを確認し、該当する充填予約情報を参照して充填情報を生成し、上記ステップＳＡ１２（図８）と同様にして補充回収部１０に装着されている補回金庫３へ紙幣を充填する。
【０１３３】
なお、補充回収部１０に補回金庫３が装着されていない場合または装着されている補回金庫３が「未使用」ではない場合には、処理装置制御部６は処理装置表示操作部８の画面にその旨を表示すると共に処理装置報知部１５のブザーおよび／もしくはスピーカにより警報を発して係員等へ報知する。
【０１３４】
また、金種毎の補充枚数が入力されていなかった場合は、上記ステップＳＡ１０（図８）と同様にして監視端末４から在高情報を取得するようにしてもよい。
【０１３５】
ＳＢ５、処理装置制御部６は、上記ステップＳＡ１３（図８）と同様にして補回金庫３へ書込情報を送信し、金庫制御部３１は金庫記憶部３３へ書込情報を格納する。
【０１３６】
ＳＢ６、書込情報の送信を終えた処理装置制御部６は、上記ステップＳＡ１４（図８）と同様にして監視端末４（図１５のステップＳＫ９）へ充填確定情報を送信する。
【０１３７】
ＳＢ７、充填確定情報の送信を終えた処理装置制御部６は、上記ステップＳＡ１７（図８）と同様の充填終了画面を表示すると共に処理装置報知部１５のブザーおよび／もしくはスピーカにより充填処理の終了を報知する。
【０１３８】
これと並行して、処理装置制御部６は処理装置記憶部７の該当する充填予約情報の充填処理実行状況を「終了」に更新する。
【０１３９】
ＳＢ８、充填処理の終了を報知した処理装置制御部６は、上記ステップＳ４（図７）と同様にして係員カード検知待状態で待機し、係員カードを検知した時にステップＳＢ９へ移行する。
【０１４０】
ＳＢ９、処理装置制御部６は上記ステップＳ５（図７）と同様にして係員情報を読取る。
【０１４１】
ＳＢ１０、係員情報を読取った処理装置制御部６は、その係員情報の係員ＩＤと上記ステップＳ５（図７）で読取った係員ＩＤとを照合し、係員ＩＤが一致した場合はステップＳＢ１２へ、不一致または読取れなかった場合はステップＳＢ１１へ移行する。
【０１４２】
ＳＢ１１、処理装置制御部６は、処理装置表示操作部８の画面に係員ＩＤが不一致である旨の文言を表示して係員情報の再入力を促し、ステップＳＢ８へ戻って係員情報の再入力を受付ける。
【０１４３】
なお、係員ＩＤの不一致が所定の回数、例えば３回連続した場合には処理装置制御部６は処理装置報知部１５のブザーおよび／もしくはスピーカにより警報を発し、充填終了画面に読取った係員ＩＤ等を表示して役席者等の処置を待って待機する。
【０１４４】
ＳＢ１２、係員は表示されている充填終了画面の内容を確認して補充回収部１０から補回金庫３を取外し、入力部９の「完了」ボタンを押下する。
【０１４５】
これを検知した処理装置制御部６は、補充回収部１０から補回金庫３が取外されたことを確認して充填予約処理を終了させ、接続子Ｚを介して図７に示す現金処理装置１の処理装置業務処理へ復帰し、ステップＳ１へ戻って処理装置表示操作部８の画面に処理装置初期画面を表示してステップＳ１〜Ｓ４の待機状態で待機する。
【０１４６】
以上のようにして現金処理装置１による補充紙幣充填処理により補充紙幣が充填された補回金庫３の作動について説明する。
【０１４７】
本実施の形態の補回金庫３の金庫記憶部３３には、補回金庫３による自動取引装置２へ紙幣を補充するときや現金処理装置１へ紙幣を回収するときの紙幣の運搬時の不正や誤装着等を防止するための「金庫運用処理実行プログラム」が格納されている。
【０１４８】
以下に、補回金庫３の運用処理の作動について図１０に示すフローチャートを用い、ＳＣで示すステップに従って補回金庫３が現在装着されており、補回金庫３へ紙幣を充填する装置である現金処理装置１の補充回収部１０から補回金庫３を取外し、運搬先の装置である自動取引装置２のＡＴＭ紙幣入出金部２６へ装着して自動取引装置２への紙幣の補充を行う場合の作動について説明する。
【０１４９】
現金処理装置１への紙幣の回収を行う場合の作動については後述する。
【０１５０】
ＳＣ１、補回金庫３の金庫制御部３１は、金庫記憶部３３に格納されている「金庫運用処理実行プログラム」により補回金庫３へ紙幣を補充した装置、つまり現金処理装置１の補充回収部１０から取外されるのを待つ取外待状態で待機しており、現金処理装置１からの取外しを検知した時にステップＳＣ２へ移行する。
【０１５１】
ＳＣ２、現金処理装置１からの取外しを検知した金庫制御部３１は、その金庫取外日時を運用履歴情報として金庫記憶部３３の金庫情報（図６に示す項目番号ｎ１）に格納すると共にその時計機能により取外された後の経過時間の計測を開始する。
【０１５２】
ＳＣ３、金庫取外日時を格納した金庫制御部３１は、金庫記憶部３３の運用状況を参照してその運用状況をランプ３８の色で表示する。
【０１５３】
例えば、運用状況が「運搬中」のときは黄色、「未使用」のときは青色、「故障」のときは赤色等の色で表示する。本実施の形態では「運搬中」であるので、ランプ３８は黄色で表示される。
【０１５４】
従って、上記ステップＳＡ１（図８）において係員が現金処理装置１の補充回収部１０に装着する補回金庫３は「未使用」であるので、ランプ３８は青色で表示されている。
【０１５５】
ＳＣ４、運用状況のランプ３８による表示を終えた金庫制御部３１は、金庫扉開閉検知部３５が金庫扉が開けられたことを検知するのを待つ金庫扉開検知状態で待機し、金庫扉が開けられたことを検知した時にステップＳＣ５へ移行する。
【０１５６】
金庫扉が開けられたことを検知しない場合は、ステップＳＣ６へ移行する。
【０１５７】
ＳＣ５、金庫扉が開けられたことを検知した金庫制御部３１は、その金庫扉開日時を金庫記憶部３３の金庫情報の運用履歴情報に追加して格納（図６に示す項目番号ｎ２）する。
【０１５８】
ＳＣ６、金庫制御部３１は、上記ステップＳＣ２で計測を開始した経過時間が所定の時間を超えるのを待つ所定時間経過待状態で待機し、経過時間が所定時間を超えた時にステップＳＣ７へ移行する。
【０１５９】
経過時間が所定時間に満たない場合はステップＳＣ８へ移行する。
【０１６０】
ＳＣ７、経過時間が所定時間を超えたことを認識した金庫制御部３１は、補回金庫３の装着忘れが発生したとして金庫報知部３７により装着忘れ警報を報知する。
【０１６１】
すなわち、金庫制御部３１は金庫報知部３７のブザーにより警報を発しての報知および／もしくはスピーカにより金庫情報の運搬先装置名の音声による報知を行う。
【０１６２】
ＳＣ８、金庫制御部３１は、補回金庫３が運搬先の装置、つまり補充先の自動取引装置２のＡＴＭ紙幣入出金部２６へ装着されたことを検知するのを待つ装着待状態で待機し、自動取引装置２へ装着されたことを検知した時にステップＳＣ９へ移行する。
【０１６３】
自動取引装置２へ装着されたことを検知しない場合は、ステップＳＣ４へ戻って上記のステップＳＣ４〜ＳＣ８の待機を継続する。
【０１６４】
ＳＣ９、自動取引装置２のＡＴＭ紙幣入出金部２６へ装着されたことを検知した金庫制御部３１は、接続部３２を介して自動取引装置２（後述する図１２のステップＳＥ５等）から送信される金庫記憶部３３の金庫情報の運搬先装置名と装着された自動取引装置２のＡＴＭ記憶部に格納されているＡＴＭ機番とが一致しない時に通知される不一致通知の受信を待つ不一致通知受信待状態で待機し、不一致通知を受信した時にステップＳＣ１０へ移行する。
【０１６５】
不一致通知を受信しない場合はステップＳＣ１２へ移行する。
【０１６６】
ＳＣ１０、金庫制御部３１は、不一致通知により補回金庫３が間違えた自動取引装置２に装着されたことを認識し、正しい運搬先装置名である金庫記憶部３３の金庫情報の運搬先装置名（本実施の形態ではＡＴＭ機番）と装着のやり直しの旨を金庫報知部３７のスピーカによる音声誘導により報知する。
【０１６７】
ＳＣ１１、金庫制御部３１は、上記の報知と並行してその金庫表示部３４に正しい運搬先を表示してステップＳＣ１へ戻り、取外待状態で待機する。
【０１６８】
これにより、係員は装着やり直しのために補回金庫３を自動取引装置２から取外したときに正しい装着先の自動取引装置２のＡＴＭ機番を容易に知ることができる。
【０１６９】
なお、金庫表示部３４への正しい運搬先の表示は、現金処理装置１からの取外されたときに上記のステップＳＣ２またはＳＣ３において表示するようにしてもよい。これにより補回金庫３の誤装着の可能性を更に低減することができる。
【０１７０】
ＳＣ１２、金庫制御部３１は、接続部３２を介して自動取引装置２が補回金庫３の金庫扉が紙幣の運搬中に開けられたことを検出した時に送信される再計数指令（後述する図１２のステップＳＥ８等）の受信を待つ再計数指令待状態で待機し、再計数指令を受信した時にステップＳＣ１３へ移行する。
【０１７１】
再計数指令を受信しない場合はステップＳＣ１７へ移行する。
【０１７２】
ＳＣ１３、再計数指令を受信した金庫制御部３１は、補回金庫３の金庫収納庫に収納されている紙幣を繰出して紙幣搬送部３６へ搬送し、自動取引装置２のＡＴＭ紙幣入出金部２６へ受渡す一方、再計数を終えてＡＴＭ紙幣入出金部２６から返却される紙幣を紙幣搬送部３６で受取って再び金庫収納庫へ収納する再計数処理を実行する。
【０１７３】
ＳＣ１４、再計数処理の終了後に金庫制御部３１は、自動取引装置２のＡＴＭ制御部２１が補回金庫３の金庫記憶部３３から読み出した金庫情報の金種毎の紙幣枚数と再計数した金種毎の紙幣枚数とを比較して不正の有無を判定して送信する判定結果（後述する図１２のステップＳＥ１０等）を受信する。
【０１７４】
ＳＣ１５、金庫制御部３１は、判定結果が「不正なし」の場合はステップＳＣ１７へ、判定結果が「不正あり」場合はステップＳＣ１６へ移行する。
【０１７５】
ＳＣ１６、判定結果が「不正あり」であることにより補回金庫３の収納紙幣が抜取られた可能性を認識した金庫制御部３１は、金庫報知部３７のスピーカにより再計数結果が一致しない旨の音声による警告を報知する。
【０１７６】
その後、金庫制御部３１は、役席者等の処置を待って待機し、役席者等は金庫情報の係員ＩＤを参照して適切な処置を行う。
【０１７７】
ＳＣ１７、金庫制御部３１は、接続部３２を介して動作指令である繰出指令または収納指令の受信を待つ動作指令待状態で待機し、動作指令（本実施の形態では後述する図１２のステップＳＥ１３から送信される繰出指令）を受信した時にステップＳＣ１８へ移行する。
【０１７８】
動作指令を受信しない場合はステップＳＣ９へ戻って上記のステップＳＣ９〜ＳＣ１７の待機を継続する。
【０１７９】
ＳＣ１８、動作指令を受信した金庫制御部３１は、受信した動作指令が繰出指令である場合はステップＳＣ１９へ、受信した動作指令が収納指令である場合はステップＳＣ２０へ移行する。
【０１８０】
ＳＣ１９、繰出指令（後述する図１２のステップＳＥ１３等）を受信した金庫制御部３１は、補回金庫３の金庫収納庫に収納されている紙幣を繰出して紙幣搬送部３６へ搬送し、自動取引装置２のＡＴＭ紙幣入出金部２６へ受渡す繰出処理を実行する。
【０１８１】
繰出処理を終えた金庫制御部３１は、ステップＳＣ２１へ移行する。
【０１８２】
ＳＣ２０、収納指令（図８のステップＳＡ１１等）を受信した金庫制御部３１は、自動取引装置２のＡＴＭ紙幣入出金部２６から繰出された紙幣を紙幣搬送部３６により受取って金庫収納庫へ収納する収納処理を実行する。
【０１８３】
ＳＣ２１、繰出処理または収納処理を終えた金庫制御部３１は、装着されている現金処理装置１（図８のステップＳＡ１３等）から送信される書込情報の受信し、ステップＳＡ１３で説明したのと同様にして受信した書込情報を金庫情報に格納して金庫情報を更新する。
【０１８４】
金庫情報の更新を終えた金庫制御部３１は、ステップＳＣ１へ戻って取外待状態で待機する。
【０１８５】
なお、上記のステップＳＣ２やＳＣ５で金庫情報の運用履歴情報に格納される金庫取外日時や金庫扉開日時は時系列に格納され、例えばステップＳＣ９において誤装着であることが判明した後に係員が自動取引装置２から補回金庫３を取外した時やその後に金庫扉を開けた時にも格納される。
【０１８６】
また、運用履歴情報に格納する日時に、金庫扉が閉じられた日時である金庫扉閉日時を加えるようにしてもよい。これにより補回金庫３が開けられていた時間を知ることが可能となり、役席者等による処置に活用することができる。
【０１８７】
以下に、図１１に示すフローチャートを用い、ＳＤで示すステップに従って自動取引装置２のＡＴＭ業務処理の作動について説明する。
【０１８８】
なお、自動取引装置２による顧客との入出金取引等の取引処理は、通常の場合と同様であるのでその説明を省略する。
【０１８９】
本実施の形態の自動取引装置２のＡＴＭ記憶部２２には、予め係員が行う取引モードの設定等の通常のＡＴＭ業務を実行するための「ＡＴＭ業務実行プログラム」に、補回金庫３により運搬された補充紙幣を自動取引装置２へ補充するための「紙幣補充処理サブプログラム」および現金処理装置１へ回収する紙幣を補回金庫３へ充填するための「回収紙幣充填処理サブプログラム」が追加されて格納されている。
【０１９０】
ＳＤ１、自動取引装置２のＡＴＭ制御部２１は、ＡＴＭ記憶部２２に格納されている「ＡＴＭ業務実行プログラム」により係員操作部２８のＡＴＭ表示操作部２８ａの画面に係員カードの挿入を促す旨の文言等を表示したＡＴＭ初期画面を表示して待機する一方、顧客との取引処理の終了を待つ取引終了待状態で待機し、取引終了を認識した時にステップＳＤ２へ移行する。
【０１９１】
取引処理が継続中または取引処理が行われていない場合はステップＳＤ３へ移行する。
【０１９２】
ＳＤ２、取引終了を認識したＡＴＭ制御部２１は、その取引が出金取引や入金取引等の紙幣金庫の在高が変化する取引であった場合はステップＳＤ３へ、残高照会や通帳記帳等の在高が変化しない取引であった場合はステップＳＤ４へ移行する。
【０１９３】
ＳＤ３、在高が変化する取引であったことを認識したＡＴＭ制御部２１は、そのＡＴＭ機番に変化した金種毎の紙幣枚数および／もしくはその金額を添付して取引情報を作成し、これを店内ＬＡＮ５を介して監視端末４（後述する図１５のステップＳＫ４）へ送信する。
【０１９４】
ＳＤ４、ＡＴＭ制御部２１は、係員操作部２８のＡＴＭカードリーダ２８ｂが係員カードを検知するのを待つ係員カード検知待状態で待機し、係員カードを検知した時にステップＳＤ５へ移行する。
【０１９５】
係員カードを検知しない場合は、ステップＳＤ１へ戻って上記のステップＳＤ１〜ＳＤ４の待機を継続する。
【０１９６】
ＳＤ５、係員カードを検知したＡＴＭ制御部２１は、ＡＴＭカードリーダ２８ｂにより係員カードに記録されている係員情報を読取る。
【０１９７】
ＳＤ６、係員情報を読取ったＡＴＭ制御部２１は、ＡＴＭ表示操作部２８ａの画面に係員が操作するＡＴＭ業務を表示したＡＴＭ業務選択画面を表示する。
【０１９８】
ＡＴＭ業務選択画面には、補回金庫３から自動取引装置２へ紙幣を補充するための「紙幣補充」ボタン、現金処理装置１へ回収する紙幣を補回金庫３へ充填するための「回収充填」ボタンおよび取引モードの変更等のその他の通常ＡＴＭ業務処理を行うためのＡＴＭ業務選択ボタン等が表示される。
【０１９９】
係員は実行するＡＴＭ業務処理を選択してそのＡＴＭ業務選択ボタンを押下する。
【０２００】
ＳＤ７、係員が押下したＡＴＭ業務選択ボタンの内容をタッチパネルからの位置信号等により認識したＡＴＭ制御部２１は、押下されたＡＴＭ業務選択ボタンが「紙幣補充」ボタンである場合には、接続子Ｅを介して図１２に示すステップＳＥ１へ分岐し、「紙幣補充処理サブプログラム」による自動取引装置２の紙幣補充処理を実行する。
【０２０１】
他のＡＴＭ業務選択ボタンが押下された場合にはステップＳＤ８へ移行する。
【０２０２】
ＳＤ８、係員が押下したＡＴＭ業務選択ボタンが「回収充填」ボタンである場合には、ＡＴＭ制御部２１は接続子Ｆを介して図１３に示すステップＳＦ１へ分岐し、「回収紙幣充填処理サブプログラム」による自動取引装置２の回収紙幣充填処理を実行する。
【０２０３】
他のＡＴＭ業務選択ボタンが押下された場合にはステップＳＤ９へ移行する。
【０２０４】
ＳＤ９、他のＡＴＭ業務処理ボタンが押下されたことを認識したＡＴＭ制御部２１は、「ＡＴＭ業務実行プログラム」により選択された通常のＡＴＭ業務処理を実行する。
【０２０５】
なお、自動取引装置２のＡＴＭ制御部２１による他のＡＴＭ業務処理の作動は、通常の作動と同様であるのでその説明を省略する。
【０２０６】
通常のＡＴＭ業務処理が終了すると、ＡＴＭ制御部２１はそのＡＴＭ業務処理を終了させてステップＳＤ１へ戻り、ＡＴＭ表示操作部２８ａの画面にＡＴＭ初期画面を表示して上記のステップＳＤ１〜ＳＤ４の待機状態で待機する。
【０２０７】
なお、上記ステップＳＤ３において、紙幣金庫の在高が変化する取引の度に取引情報を送信するとして説明したが、定期的に在高情報を送信し、ＡＴＭ紙幣入出金部２６の紙幣金庫の収納量を監視しながら紙幣金庫の１つが資金不足になりかけていることを示すニアエンド状態を検知した時および紙幣金庫の収納量に余裕がなくなったことを示すニアフル状態を検知した時に補充要求および回収要求を送信するようにしてもよい。
【０２０８】
このような自動取引装置２による業務処理の過程で上記の図１０を用いて説明した補回金庫３により運搬された補充紙幣を自動取引装置２へ補充する場合の自動取引装置２の紙幣補充処理の作動について、図１２に示すフローチャートを用い、ＳＥで示すステップに従って説明する。
【０２０９】
ＳＥ１、上記ステップＳＤ７（図１１）で紙幣補充処理が選択されたことを認識した自動取引装置２のＡＴＭ制御部２１は、係員操作部２８のＡＴＭ表示操作部２８ａの画面に補回金庫３の装着を促す旨の文言等を表示してＡＴＭ紙幣入出金部２６への補回金庫３の装着を待つ補回金庫装着待状態で待機し、補回金庫３の装着を検知した時にステップＳＥ２へ移行する。
【０２１０】
ＳＥ２、補回金庫３の装着を検知したＡＴＭ制御部２１は、補回金庫３の接続部３２を介して金庫制御部３１へ読出指令を送信し、金庫記憶部３３の運用履歴情報等の図６に示す金庫情報を読み出す。
【０２１１】
ＳＥ３、金庫情報を読み出したＡＴＭ制御部２１は、そのＡＴＭ記憶部２２に予め格納されているＡＴＭ機番と読み出した金庫情報の運搬先装置名とを照合し、両者が一致した場合はステップＳＥ６へ、一致しない場合はステップＳＥ４へ移行する。
【０２１２】
ＳＥ４、ＡＴＭ機番の不一致により誤装着であることを認識したＡＴＭ制御部２１は、ＡＴＭ表示操作部２８ａの画面に誤装着である旨の文言と正しい運搬先である読み出した金庫情報の運搬先装置名（本実施の形態ではＡＴＭ機番）を表示する。
【０２１３】
ＳＥ５、正しい運搬先のＡＴＭ機番を表示したＡＴＭ制御部２１は、ＡＴＭ機番が不一致であることを通知する不一致通知を作成し、これを接続部３２を介して補回金庫３（図１０のステップＳＣ９）へ送信し、接続子Ｈを介してステップＳＥ２０へ移行する。
【０２１４】
ＳＥ６、ＡＴＭ制御部２１は、読み出した金庫情報を基にその充填枚数確定日時と運用履歴情報の金庫扉開日時とを比較し、充填枚数確定日時より後の金庫扉開日時が格納されている場合に紙幣の運搬中に補回金庫３の金庫扉が開けられたことを検出してステップＳＥ７へ移行する。
【０２１５】
充填枚数確定日時より後の金庫扉開日時が格納されていない場合にはステップＳＥ１３へ移行する。
【０２１６】
なお、紙幣の運搬中に金庫扉が開けられたか否かの検出は、現金処理装置１の補充紙幣充填処理（図８）で補充紙幣を充填した直後および後述する自動取引装置２の紙幣回収処理（図１３）で回収紙幣を充填した直後の補回金庫３の金庫取外日時のみを更新しながら運用履歴情報に格納して上記と同様にして金庫取外日時と金庫扉開日時との前後関係により検出するようにしてもよい。
【０２１７】
ＳＥ７、金庫扉が紙幣の運搬中に開けられらことを検出したＡＴＭ制御部２１は、ＡＴＭ表示操作部２８ａの画面に紙幣の運搬中に金庫扉が開けられた旨の文言を表示する。
【０２１８】
ＳＥ８、金庫扉が開けられた旨の文言を表示したＡＴＭ制御部２１は、補回金庫３の収納紙幣を再計数するために接続部３２を介して補回金庫３（図１０のステップＳＣ１２）へ再計数指令を送信する。
【０２１９】
ＳＥ９、再計数指令を送信したＡＴＭ制御部２１は、ＡＴＭ紙幣入出金部２６により補回金庫３の金庫収納庫から繰出されて紙幣搬送部３６から受渡される紙幣を鑑別部へ搬送してその金種や新旧の別等を鑑別しながら金種毎に枚数を計数し、鑑別した紙幣を補回金庫３の紙幣搬送部３６へ搬送して補回金庫３へ返却する補回金庫３の収納紙幣の再計数を行う。
【０２２０】
ＳＥ１０、補回金庫３の収納紙幣の再計数を終えたＡＴＭ制御部２１は、読み出した金庫情報の金種毎の紙幣枚数（新旧紙幣の別を含む。）と再計数した金種毎の紙幣枚数とを比較してその一致により不正の有無を判定し、再計数結果が一致した場合は「不正なし」とし、再計数結果が不一致の場合は「不正あり」とした判定結果を作成し、この判定結果を接続部３２を介して補回金庫３（図１０のステップＳＣ１４）へ送信する。
【０２２１】
ＳＥ１１、判定結果の送信を終えたＡＴＭ制御部２１は、判定結果が「不正なし」の場合はステップＳＥ１３へ、判定結果が「不正あり」場合はステップＳＥ１２へ移行する。
【０２２２】
ＳＥ１２、再計数結果の不一致により補回金庫３の収納紙幣が抜取られた可能性を認識したＡＴＭ制御部２１は、ＡＴＭ表示操作部２８ａの画面に再計数結果や金庫情報の係員ＩＤおよび再計数結果が一致しない旨の文言を表示し、役席者等の処置を待って待機し、役席者等は係員ＩＤ等を参照して適切な処置を行う。
【０２２３】
ＳＥ１３、ＡＴＭ制御部２１は、補回金庫３から補充紙幣を受取ってＡＴＭ紙幣入出金部２６の紙幣金庫へ収納するために接続部３２を介して補回金庫３（図１０のステップＳＣ１７）へ動作指令としての繰出指令を送信する。
【０２２４】
ＳＥ１４、繰出指令を送信したＡＴＭ制御部２１は、ＡＴＭ紙幣入出金部２６により補回金庫３の金庫収納庫から繰出されて紙幣搬送部３６から受渡される紙幣を鑑別部へ搬送してその金種や新旧の別等を鑑別しながら金種毎の枚数を計数し、鑑別した紙幣を金種別の紙幣金庫に収納する紙幣収納処理を実行する。
【０２２５】
ＳＥ１５、紙幣収納処理を終えたＡＴＭ制御部２１は、図６に示す項目番号ｍ２〜ｍ１７の項目の内、ｍ２の運用状況を「未使用」とし、ｍ１６の金庫取外装置名をそのＡＴＭ機番とし、他を空欄とした書込情報を作成してこれを接続部３２を介して補回金庫３（図１０のステップＳＣ２１）へ送信する。
【０２２６】
従って、補回金庫３が自動取引装置２から取外されたときに、ランプ３８は「未使用」を示す青色で表示される。
【０２２７】
ＳＥ１６、補回金庫３への書込情報の送信を終えたＡＴＭ制御部２１は、読み出した金庫情報の合計金庫個数が「１」以下の場合はステップＳＥ１８へ、合計金庫個数が「２」以上の場合はステップＳＥ１７へ移行する。
【０２２８】
ＳＥ１７、複数個の補回金庫３による補充であることを認識したＡＴＭ制御部２１は、その旨および係員に補回金庫３の交換を促す旨の文言を表示した補回金庫交換依頼画面をＡＴＭ表示操作部２８ａの画面に表示し、新たな補回金庫３がＡＴＭ紙幣入出金部２６に装着されると接続子Ｅを介してステップＳＥ１へ戻って上記と同様にして紙幣補充処理を行い、補回金庫３へ書込情報を送信しながら合計金庫個数に相当する回数繰返して全ての補回金庫３の補充紙幣をＡＴＭ紙幣入出金部２６の紙幣金庫に収納する。
【０２２９】
ＳＥ１８、補回金庫３からの補充紙幣の収納を終えたＡＴＭ制御部２１は、そのＡＴＭ機番に収納した金種毎（新旧紙幣の別を含む。）の紙幣枚数を添付した補充通知を店内ＬＡＮ５を介して監視端末４（図１５のステップＳＫ１）へ送信する。
【０２３０】
ＳＥ１９、補充通知の送信を終えたＡＴＭ制御部２１は、ＡＴＭ表示操作部２８ａの画面に紙幣収納処理が終了した旨および補回金庫３の取外を依頼する旨の文言等を表示した補充終了画面を表示する。
【０２３１】
係員は表示された内容を確認して補回金庫３を自動取引装置２のＡＴＭ紙幣入出金部２６から取外し、補充終了画面に表示されている「完了」ボタンを押下する。
【０２３２】
ＳＥ２０、ＡＴＭ制御部２１は、ＡＴＭ紙幣入出金部２６から補回金庫３が取外されたことを確認して紙幣補充処理を終了させ、接続子Ｙを介して図１１に示す自動取引装置２のＡＴＭ業務処理へ復帰し、ステップＳＤ１へ戻ってＡＴＭ表示操作部２８ａの画面にＡＴＭ初期画面を表示してステップＳＤ１〜ＳＤ４の待機状態で待機する。
【０２３３】
この場合に、上記ステップＳＥ４において誤装着であることを知った係員は、補回金庫３を自動取引装置２から取外したときに、上記ステップＳＣ１１において金庫表示部３４に表示された正しい運搬先のＡＴＭ機番により、補回金庫３をその自動取引装置２へ運搬して該当する自動取引装置２へ紙幣を補充する。
【０２３４】
なお、上記ステップＳＥ２において、ＡＴＭ制御部２１が補回金庫３から金庫情報を読み出す時にこれらの情報が読み出せなかった場合は、店内ＬＡＮ５を介して監視端末４（後述する図１５のステップＳＫ１１）へ補回金庫情報を問合せて金庫情報の金種毎の紙幣枚数等を取得するようにしてもよい。これにより紙幣補充処理を遅滞なく行うことができ、業務効率を向上させることができる。
【０２３５】
この場合に、本実施の形態では充填確定情報のみが送信されてくるので、ステップＳＥ６における金庫扉が開けられたことの検出は、現在日時と受信した充填確定情報の充填枚数確定日時とを比較してこの間の時間が予め設定した時間より長いことにより検出するようにする。
【０２３６】
以上のようにして、補回金庫３による現金処理装置１から自動取引装置２への紙幣の補充が行われる。
【０２３７】
次に、補回金庫３による自動取引装置２から現金処理装置１へ紙幣を回収する場合の作動について説明する。
【０２３８】
自動取引装置２のＡＴＭ紙幣入出部２６の紙幣金庫やリジェクト庫の収納量に余裕がなくなったニアフル状態になった場合等には、係員は監視端末４（後述する図１５のステップＳＫ８）からの回収要求の報知（業務番号と該当する自動取引装置２のＡＴＭ機番を含む。）等によりこれを知得し、該当する自動取引装置２のＡＴＭ業務処理から回収紙幣充填処理を選択して回収紙幣を補回金庫３へ充填し、これを補回金庫３により現金処理装置１へ運搬して自動取引装置２の紙幣を回収する。
【０２３９】
以下に、自動取引装置２の回収紙幣充填処理が選択された場合の作動について図１３に示すフローチャートを用い、ＳＦで示すステップに従って説明する。
【０２４０】
ＳＦ１、上記ステップＳＤ８（図１１）で回収紙幣充填処理が選択されたことを認識した自動取引装置２のＡＴＭ制御部２１は、上記ステップＳＥ１（図１２）と同様にして補回金庫装着待状態で待機し、補回金庫３の装着を検知した時にステップＳＦ２へ移行する。
【０２４１】
ＳＦ２、補回金庫３の装着を検知したＡＴＭ制御部２１は、係員操作部２８のＡＴＭ表示操作部２８ａの画面にＡＴＭ紙幣入出金部２６のニアフル状態となっている紙幣金庫やリジェクト庫等の収納庫を異なった色で表示した全ての収納庫の収納庫選択ボタンおよび業務番号や合計金庫個数の入力欄等を表示した回収内容入力画面を表示する。
【０２４２】
係員は、業務番号や合計金庫個数を入力し、紙幣を回収する収納庫を選択してその収納庫選択ボタンを押下する。
【０２４３】
ＳＦ３、収納庫選択ボタンの押下を検知したＡＴＭ制御部２１は、装着されている補回金庫３へ回収紙幣を充填するために接続部３２を介して補回金庫３（図１０のステップＳＣ１７）へ動作指令としての収納指令を送信する。
【０２４４】
ＳＦ４、収納指令を送信したＡＴＭ制御部２１は、該当する収納庫に収納されている紙幣の紙幣繰出処理を実行する。
【０２４５】
すなわち、ＡＴＭ制御部２１はＡＴＭ紙幣入出金部２６の収納庫から紙幣を順に繰出し、鑑別部へ搬送してその金種や新旧の別等を鑑別しながら金種毎の枚数を計数し、鑑別した紙幣をＡＴＭ紙幣入出金部２６に装着されている補回金庫３の紙幣搬送部３６へ受渡す。補回金庫３の金庫制御部３１は紙幣搬送部３６に受渡された紙幣をその金庫収納庫へ収納する。
【０２４６】
そして、補回金庫３への回収紙幣の充填が終了するとＡＴＭ制御部２１は充填した金種毎の紙幣枚数等をＡＴＭ表示操作部２８ａの画面に表示し、係員は表示内容を確認して画面に表示されている「完了」ボタンを押下する。
【０２４７】
ＳＦ５、「完了」ボタンの押下を検知したＡＴＭ制御部２１は、上記ステップＳＡ１３で説明した書込情報と同様の書込情報を作成する。
【０２４８】
すなわち、ＡＴＭ制御部２１は、装着されている補回金庫３の運用状況（図６に示す金庫情報の項目番号ｍ２、本実施の形態では回収紙幣を充填したので項目番号ｍ２を「運搬中」として書込む。）、業務番号（ｍ３）、合計金庫個数（ｍ４）と金庫番号（ｍ５）、上記ステップＳＤ５（図１１）で読取った係員ＩＤ（ｍ６）、補回金庫３に充填した紙幣の枚数を確定した日時（前記の「完了」ボタンを検知した日時）である充填枚数確定日時（ｍ７）、確定した新旧紙幣の別を付した金種毎の紙幣枚数（ｍ８〜ｍ１４）とこれらを基に算出した合計金額（ｍ１５）、補回金庫３が取外された装置である金庫取外装置名（ｍ１６、本実施の形態では自動取引装置２のＡＴＭ機番）および補回金庫３の運搬先の装置である運搬先装置名（ｍ１７、本実施の形態では回収先の現金処理装置１の処理装置機番）等の書込情報を作成し、これを接続部３２を介して補回金庫３（図１０のステップＳＣ２１）へ送信する。
【０２４９】
ＳＦ６、補回金庫３への書込情報の送信を終えたＡＴＭ制御部２１は、回収内容入力の合計金庫個数が「１」以下の場合はステップＳＥ１８へ、合計金庫個数が「２」以上の場合はステップＳＥ１７へ移行する。
【０２５０】
ＳＦ７、複数個の補回金庫３による回収であることを認識したＡＴＭ制御部２１は、上記ステップＳＥ１７（図１２）と同様にして補回金庫交換依頼画面を表示し、新たな補回金庫３がＡＴＭ紙幣入出金部２６に装着されるとステップＳＦ１へ戻って上記と同様にして回収紙幣充填処理を行い、補回金庫３へ書込情報を送信しながら合計金庫個数に相当する回数繰返して全ての補回金庫３へ回収紙幣を収納する。
【０２５１】
ＳＦ８、補回金庫３への回収紙幣の充填を終えたＡＴＭ制御部２１は、そのＡＴＭ機番に鑑別して計数した金種毎（新旧紙幣の別を含む。）の紙幣枚数を添付した回収通知を店内ＬＡＮ５を介して監視端末４（図１５のステップＳＫ３）へ送信する。
【０２５２】
ＳＦ９、回収通知の送信を終えたＡＴＭ制御部２１は、ＡＴＭ表示操作部２８ａの画面に回収紙幣充填処理が終了した旨および補回金庫３の取外を依頼する旨の文言等を表示した紙幣充填終了画面を表示する。
【０２５３】
係員は表示された内容を確認して補回金庫３を自動取引装置２のＡＴＭ紙幣入出金部２６から取外し、紙幣充填終了画面に表示されている「完了」ボタンを押下する。
【０２５４】
ＳＦ１０、ＡＴＭ制御部２１は、ＡＴＭ紙幣入出金部２６から補回金庫３が取外されたことを確認して回収紙幣充填処理を終了させ、接続子Ｙを介して図１１に示す自動取引装置２のＡＴＭ業務処理へ復帰し、ステップＳＤ１へ戻ってＡＴＭ表示操作部２８ａの画面にＡＴＭ初期画面を表示してステップＳＤ１〜ＳＤ４の待機状態で待機する。
【０２５５】
以上のようにして自動取引装置２による回収紙幣充填処理により回収紙幣が充填された補回金庫３の作動について説明する。
【０２５６】
補回金庫３による現金処理装置１への紙幣の回収の場合の作動は、補回金庫３が現在装着されており、補回金庫３へ紙幣を充填する装置が自動取引装置２のＡＴＭ紙幣入出金部２６であり、運搬先の装置が現金処理装置１の補充回収部１０であることが異なる以外は、上記の図１０を用いて説明した補回金庫３による自動取引装置２への紙幣の補充の場合の補回金庫３の運用処理の作動と同様であるのでその説明を省略する。
【０２５７】
以下に、補回金庫３により運搬された回収紙幣を現金処理装置１へ回収する場合の現金処理装置１の紙幣回収処理の作動について、図１４に示すフローチャートを用い、ＳＧで示すステップに従って説明する。
【０２５８】
ＳＧ１、上記ステップＳ８（図７）で紙幣回収処理が選択されたことを認識した現金処理装置１の処理装置制御部６は、上記ステップＳＡ１（図８）と同様にして補回金庫装着待状態で待機し、補回金庫３の装着を検知した時にステップＳＧ２へ移行する。
【０２５９】
ＳＧ２、補回金庫３の装着を検知した処理装置制御部６は、補回金庫３の接続部３２を介して金庫制御部３１へ読出指令を送信し、金庫記憶部３３の運用履歴情報等の図６に示す金庫情報を読み出す。
【０２６０】
ＳＧ３、金庫情報を読み出した処理装置制御部６は、その処理装置記憶部７に予め格納されている処理装置機番と読み出した金庫情報の運搬先装置名とを照合し、両者が一致した場合はステップＳＧ６へ、一致しない場合はステップＳＧ４へ移行する。
【０２６１】
ＳＧ４、処理装置機番の不一致により誤装着であることを認識した処理装置制御部６は、処理装置表示操作部８の画面に誤装着である旨の文言と正しい運搬先である読み出した金庫情報の運搬先装置名（本実施の形態では処理装置機番）を表示する。
【０２６２】
ＳＧ５、正しい運搬先の処理装置機番を表示した処理装置制御部６は、処理装置機番が不一致であることを通知する不一致通知を作成し、これを接続部３２を介して補回金庫３（図１０のステップＳＣ９）へ送信し、接続子Ｊを介してステップＳＧ２４へ移行する。
【０２６３】
ＳＧ６、処理装置制御部６は、読み出した金庫情報を基にその充填枚数確定日時と運用履歴情報の金庫扉開日時とを比較し、充填枚数確定日時より後の金庫扉開日時が格納されている場合に紙幣の運搬中に補回金庫３の金庫扉が開けられたことを検出してステップＳＧ７へ移行する。
【０２６４】
充填枚数確定日時より後の金庫扉開日時が格納されていない場合にはステップＳＧ１３へ移行する。
【０２６５】
ＳＧ７、金庫扉が紙幣の運搬中に開けられらことを検出した処理装置制御部６は、処理装置表示操作部８の画面に紙幣の運搬中に金庫扉が開けられた旨の文言を表示する。
【０２６６】
ＳＧ８、金庫扉が開けられた旨の文言を表示した処理装置制御部６は、補回金庫３の収納紙幣を再計数するために接続部３２を介して補回金庫３（図１０のステップＳＣ１２）へ再計数指令を送信する。
【０２６７】
ＳＧ９、再計数指令を送信した処理装置制御部６は、補充回収部１０により補回金庫３の金庫収納庫から繰出されて紙幣搬送部３６から受渡される紙幣を受取り、これを処理装置紙幣入出金部１１の鑑別部へ搬送してその金種や新旧の別等を鑑別しながら金種毎に枚数を計数し、鑑別した紙幣を補充回収部１０搬送して補回金庫３の紙幣搬送部３６へ受渡して補回金庫３へ返却する補回金庫３の収納紙幣の再計数を行う。
【０２６８】
ＳＧ１０、補回金庫３の収納紙幣の再計数を終えた処理装置制御部６は、読み出した金庫情報の金種毎の紙幣枚数（新旧紙幣の別を含む。）と再計数した金種毎の紙幣枚数とを比較してその一致により不正の有無を判定し、再計数結果が一致した場合は「不正なし」とし、再計数結果が不一致の場合は「不正あり」とした判定結果を作成し、この判定結果を接続部３２を介して補回金庫３（図１０のステップＳＣ１４）へ送信する。
【０２６９】
ＳＧ１１、判定結果の送信を終えた処理装置制御部６は、判定結果が「不正なし」の場合はステップＳＧ１３へ、判定結果が「不正あり」場合はステップＳＧ１２へ移行する。
【０２７０】
ＳＧ１２、再計数結果の不一致により補回金庫３の収納紙幣が抜取られた可能性を認識した処理装置制御部６は、処理装置表示操作部８の画面に再計数結果や金庫情報の係員ＩＤおよび再計数結果が一致しない旨の文言を表示し、役席者等の処置を待って待機し、役席者等は係員ＩＤ等を参照して適切な処置を行う。
【０２７１】
ＳＧ１３、処理装置制御部６は、処理装置表示操作部８の画面に回収業務選択画面を表示する。
【０２７２】
回収業務選択画面には、補回金庫３の回収紙幣を小束に施封するための「小束施封」ボタン、回収紙幣を処理装置紙幣入出金部１１の金種別金庫に収納するための「回収収納」ボタン等が表示される。
【０２７３】
係員は実行する回収業務を選択してその回収選択ボタンを押下する。
【０２７４】
ＳＧ１４、係員が押下した回収選択ボタンの内容を認識した処理装置制御部６は、押下された回収選択ボタンが「小束施封」ボタンの場合はステップＳＧ１５へ「回収収納」ボタンの場合はステップＳＧ１８へ移行する。
【０２７５】
ＳＧ１５、小束施封処理が選択されたことを認識した処理装置制御部６は、補回金庫３から読み出した金庫情報を参照し、その金種毎の紙幣枚数（新旧紙幣の別を含む。）が所定の枚数、例えば損券が含まれていることを考慮して１２０枚以上である金種を施封金種として選定する。
【０２７６】
ＳＧ１６、施封金種の選定を終えた処理装置制御部６は、補充回収部１０により補回金庫３から回収紙幣を受取って小束施封部１２で施封するために接続部３２を介して補回金庫３（図１０のステップＳＣ１７）へ動作指令としての繰出指令を送信する。
【０２７７】
ＳＧ１７、繰出指令を送信した処理装置制御部６は、補充回収部１０により補回金庫３の金庫収納庫から繰出されて紙幣搬送部３６から受渡される紙幣を受取り、これを処理装置紙幣入出金部１１の鑑別部へ搬送してその金種や新旧の別等を鑑別しながら金種毎の枚数を計数し、施封金種に選定した紙幣は小束施封部１２へ搬送して小束に施封し、その他の紙幣および小束施封部１２へ搬送しても所定の枚数に達しない端数の紙幣は処理装置紙幣入出金部１１の金種別に金種別金庫へ搬送して収納する小束施封処理を実行し、小束施封処理の終了後にステップＳＧ２０へ移行する。
【０２７８】
ＳＧ１８、処理装置制御部６は、補充回収部１０により補回金庫３から回収紙幣を受取って処理装置紙幣入出金部１１の金種別金庫へ回収するために接続部３２を介して補回金庫３（図１０のステップＳＣ１７）へ動作指令としての繰出指令を送信する。
【０２７９】
ＳＧ１９、繰出指令を送信した処理装置制御部６は、補充回収部１０により補回金庫３の金庫収納庫から繰出されて紙幣搬送部３６から受渡される紙幣を受取り、これを処理装置紙幣入出金部１１の鑑別部へ搬送してその金種や新旧の別等を鑑別しながら金種毎の枚数を計数し、鑑別した紙幣を金種別に金種別金庫へ搬送して収納する回収処理を実行する。
【０２８０】
ＳＧ２０、回収処理を終えた処理装置制御部６は、図６に示す項目番号ｍ２〜ｍ１７の項目の内、ｍ２の運用状況を「未使用」とし、ｍ１６の金庫取外装置名をその処理装置機番とし、他を空欄とした書込情報を作成してこれを接続部３２を介して補回金庫３（図１０のステップＳＣ２１）へ送信する。
【０２８１】
ＳＧ２１、補回金庫３への書込情報の送信を終えた処理装置制御部６は、読み出した金庫情報の合計金庫個数が「１」以下の場合はステップＳＧ２３へ、合計金庫個数が「２」以上の場合はステップＳＧ１７へ移行する。
【０２８２】
ＳＧ２２、複数個の補回金庫３による回収であることを認識した処理装置制御部６は、上記ステップＳＡ１６（図８）と同様にして補回金庫交換依頼画面を表示し、新たな補回金庫３が補充回収部１０に装着されると接続子Ｇを介してステップＳＧ１へ戻って上記と同様にして紙幣回収処理を行い、補回金庫３へ書込情報を送信しながら合計金庫個数に相当する回数繰返して全ての補回金庫３の回収紙幣を現金処理装置１へ回収する。
【０２８３】
ＳＧ２３、補回金庫３からの回収紙幣の回収を終えた処理装置制御部６は、処理装置表示操作部８の画面に回収処理が終了した旨および補回金庫３の取外を依頼する旨の文言等を表示した回収終了画面を表示する。
【０２８４】
係員は表示された内容を確認して補回金庫３を自動取引装置２の補充回収部１０から取外し、入力部９の「完了」ボタンを押下する。
【０２８５】
ＳＧ２４、処理装置制御部６は、補充回収部１０から補回金庫３が取外されたことを確認して回収処理を終了させ、接続子Ｚを介して図７に示す現金処理装置１の処理装置業務処理へ復帰し、ステップＳ１へ戻って処理装置表示操作部８の画面に処理装置初期画面を表示してステップＳ１〜Ｓ４の待機状態で待機する。
【０２８６】
なお、店舗に設置されている現金処理装置が１台のみの店舗の場合は、上記ステップＳＧ３〜ＳＧ５の誤装着の判断を省略するようにしてもよい。
【０２８７】
以上のようにして、補回金庫３による自動取引装置２から現金処理装置１への紙幣の回収が行われる。
【０２８８】
このような現金処理システムの自動取引装置２への補充紙幣の運搬や現金処理装置１への回収紙幣の運搬等の紙幣等の移動の監視は監視端末４により行われる。
【０２８９】
以下に、監視端末４による監視処理の作動について図１５に示すフローチャートを用い、ＳＫで示すステップに従って説明する。
【０２９０】
本実施の形態の監視端末４の端末記憶部４２には、店舗に設置された自動取引装置２の在高情報等を管理して店舗の現金の移動を監視するための「システム監視プログラム」が格納されており、監視端末４の端末制御部４１は「システム監視プログラム」の起動後に現金処理装置１や自動取引装置２から店内ＬＡＮ５を介して送信される各種の情報や問合を待つ待機状態で待機しており、情報や問合の着信によりその割込処理を実行する。
【０２９１】
また、端末記憶部４２には各自動取引装置２のＡＴＭ機番とその金種毎の在高からなる在高情報を格納する在高情報格納エリアと補回金庫３へ自動取引装置２へ補充する紙幣を充填した時に現金処理装置１から送信される充填確定情報等を補回金庫情報として保存するための補回金庫情報保存エリアが確保されている。
【０２９２】
ＳＫ１、端末制御部４１は、自動取引装置２（図１２のステップＳＥ１８）からの補充通知の受信を待つ補充通知受信待状態で待機し、補充通知を受信した時にステップＳＫ２へ移行する。
【０２９３】
補充通知を受信しない場合はステップＳＫ３へ移行する。
【０２９４】
ＳＫ２、補充通知を受信した端末制御部４１は、補充通知のＡＴＭ機番を基に後述するステップＳＫ１０で端末記憶部４２に保存した補回金庫情報の運搬先装置名を検索して該当する自動取引装置２の補回金庫情報を抽出し、該当する補回金庫情報を消去してステップＳＫ５へ移行する。
【０２９５】
この時、複数個の補回金庫３による補充の場合は、該当する補回金庫情報が複数存在するので、複数の補回金庫情報を消去する。
【０２９６】
ＳＫ３、端末制御部４１は、自動取引装置２（図１３のステップＳＦ８）からの回収通知の受信を待つ回収通知受信待状態で待機し、回収通知を受信した時にステップＳＫ５へ移行する。
【０２９７】
回収通知を受信しない場合はステップＳＫ４へ移行する。
【０２９８】
ＳＫ４、端末制御部４１は、自動取引装置２（図１１のステップＳＤ３）からの取引情報の受信を待つ取引情報受信待状態で待機し、取引情報を受信した時にステップＳＫ５へ移行する。
【０２９９】
取引情報を受信しない場合はステップＳＫ９へ移行する。
【０３００】
ＳＫ５、端末制御部４１は、自動取引装置２からの補充通知や回収通知および取引情報のＡＴＭ機番を基に在高情報格納エリアの該当する自動取引装置２の在高情報を抽出し、添付されている補充や回収および取引に用いた金種毎の紙幣枚数をその現在在高に加算または減算して在高情報を更新する。
【０３０１】
ＳＫ６、在高情報の更新を終えた端末制御部４１は、更新後の在高を基にニアフル状態の自動取引装置２の金種別金庫が存在する場合はステップＳＫ７へ、ニアフル状態の金種別金庫が存在しない場合はステップＳＫ９へ移行する。
【０３０２】
ＳＫ７、ニアフル状態の自動取引装置２のＡＴＭ紙幣入出金庫２６の紙幣金庫が存在することを認識した端末制御部４１は、紙幣の回収を必要とする自動取引装置２のＡＴＭ機番に回収すべき金種を添付した業務番号取得依頼を作成し、これを店内ＬＡＮ５を介して現金処理装置１へ送信する。
【０３０３】
業務番号取得依頼を受信した現金処理装置１の処理装置制御部６は業務番号を採番し、これを店内ＬＡＮ５を介して監視端末４へ送信する。
【０３０４】
監視端末４の端末制御部４１は、これを受信して業務番号を取得する。
【０３０５】
ＳＫ８、業務番号を取得した端末制御部４１は、端末表示部４３の画面に業務番号と回収を必要とする自動取引装置２のＡＴＭ機番等を表示した回収要求画面を表示すると共に、端末報知部４４のブザーおよび／もしくはスピーカにより警報を発して係員等へ報知する。
【０３０６】
報知を受けた係員は表示内容を確認して確定操作を行い、係員の確定操作を検知した端末制御部４１はステップＳＫ９へ移行する。
【０３０７】
補回金庫３の保管場所等から「未使用」の補回金庫３、つまりランプ３８が青色で表示されている補回金庫３を該当する自動取引装置２へ運搬し、図１３を用いて説明した自動取引装置２の回収紙幣充填処理を行う。
【０３０８】
ＳＫ９、端末制御部４１は、現金処理装置１（図８のステップＳＡ１４等）からの充填確定情報の受信を待つ充填確定情報受信待状態で待機し、充填確定情報を受信した時にステップＳＫ１０へ移行する。
【０３０９】
充填確定情報を受信しない場合はステップＳＫ１１へ移行する。
【０３１０】
ＳＫ１０、充填確定情報を受信した端末制御部４１は、これを端末記憶部４２に補回金庫情報として保存してステップＳＫ１１へ移行する。
【０３１１】
ＳＫ１１、端末制御部４１は、自動取引装置２が補回金庫３の金庫情報を読取れない場合に自動取引装置２から送信されるそのＡＴＭ機番を付した補回金庫情報の問合を待つ補回金庫情報問合待状態で待機し、補回金庫情報の問合があった時にステップＳＫ１２へ移行する。
【０３１２】
補回金庫情報の問合がなかった場合はステップＳＫ１３へ移行する。
【０３１３】
ＳＫ１２、補回金庫情報の問合を受付けた端末制御部４１は、補回金庫情報の問合に含まれるＡＴＭ機番を基に端末記憶部４２に一時保存している補回金庫情報の運搬先装置名を検索して該当する自動取引装置２の補回金庫情報を抽出し、これを店内ＬＡＮ５を介して発信元の自動取引装置２へ送信してステップＳＫ１３へ移行する。
【０３１４】
この時、複数個の補回金庫３による補充の場合は、該当する補回金庫情報が複数存在するので、複数の補回金庫情報を発信元の自動取引装置２へ送信する。
【０３１５】
ＳＫ１３、端末制御部４１は、現金処理装置１（図８のステップＳＡ１０）からの在高情報の問合を待つ在高情報問合待状態で待機し、在高情報の問合があった時にステップＳＫ１４へ移行する。
【０３１６】
在高情報の問合がなかった場合はステップＳＫ１５へ移行する。
【０３１７】
ＳＫ１４、在高情報の問合を受付けた端末制御部４１は、在高情報の問合に含まれるＡＴＭ機番を基に端末記憶部４２の在高情報格納エリア格納されている該当する自動取引装置２の在高情報を抽出し、これを店内ＬＡＮ５を介して発信元の現金処理装置１へ送信してステップＳＫ１５へ移行する。
【０３１８】
ＳＫ１５、端末制御部４１は、その時計機能により現金処理装置１へ定期的に送信する監視情報の送信時刻の到来を待つ定期送信時刻待状態で待機し、定期送信時刻になった時にステップＳＫ１６へ移行する。
【０３１９】
定期送信時刻ではない場合はステップＳＫ１７へ移行する。
【０３２０】
ＳＫ１６、現金処理装置１への定期送信時刻になったことを認識した端末制御部４１は、端末記憶部４２の在高情報格納エリア格納されている全ての自動取引装置２の在高情報を監視情報として店内ＬＡＮ５を介して現金処理装置１へ送信してステップＳＫ１７へ移行する。
【０３２１】
ＳＫ１７、端末制御部４１は、その時計機能により業務の終了時刻の到来を待つ業務終了時刻待状態で待機し、業務終了時刻になった時に監視処理を終了させる。
【０３２２】
業務終了時刻ではない場合はステップＳＫ１〜ＳＫ１７の待機状態での待機を継続する。
【０３２３】
なお、上記ステップＳＫ１５において監視情報の送信は定期的に行うとして説明したが、監視情報の送信は、例えば監視端末４がステップＳＫ６でニアフル状態の自動取引装置を判定するときに同時にニアエンド状態の自動取引装置２を判定するようにし、これによって監視情報を随時に現金処理装置１へ送信するようにしてもよい。
【０３２４】
以上説明したように、本実施の形態では、補回金庫へ充填した現金の充填枚数確定日時と金庫扉開日時とを補回金庫の金庫情報に格納し、充填枚数確定日時より後の金庫扉開日時が格納されている場合に紙幣の運搬中に補回金庫の金庫扉が開けられたことを検出するようにしたことによって、補充紙幣や回収紙幣の運搬中に金庫扉が開けられたことを正しく判定することができる。
【０３２５】
また、補回金庫の金庫扉が紙幣の運搬中に開けられたことを検出した場合に、補回金庫に充填されている紙幣の枚数を再計数し、その再計数結果が一致しない時に不正と判定するようにしたことによって、不正な金庫扉の開閉のみを検出することができ、無用の補充および回収作業の停止を防止して自動取引装置および現金処理装置の稼働効率を向上させることができる。
【０３２６】
更に、不正な金庫扉の開閉が行われたときに、自動取引装置および現金処理装置の表示操作部へのその旨の表示および／もしくは補回金庫の金庫報知部による警報の発信を行うようにしたことによって、役席者等へ早期に不正の事実を報知することが可能となる。
【０３２７】
更に、係員ＩＤを補回金庫の金庫情報に格納するようにしたことによって、不正な金庫扉の開閉が行われたときに、その係員ＩＤを容易に知ることができ、その行為者を特定に活用することができる。
【０３２８】
更に、補回金庫への補充紙幣や回収紙幣の充填時に金庫記憶部にその運搬先装置名を格納しておき、この運搬先装置名と補回金庫が装着された自動取引装置または現金処理装置装置の記憶部に格納されている機番との不一致を認識した時に正しい運搬先装置名をそれぞれの表示操作部に表示するようにしたことによって、間違えて装着した補回金庫の正しい装着先を係員が容易に知ることができ、無用の混乱を未然に防止することができると共に円滑な自動取引装置または現金処理装置への紙幣の補充または回収を行うことができる他、誤集計の防止を図ることができる。
【０３２９】
更に、機番の不一致を認識した時に正しい運搬先装置名の金庫表示部への表示および／もしくは金庫報知部による音声での報知を行うようにしたことによって、正しい運搬先を係員が容易に知ることができ、補充および回収業務の効率化を図ることができる。
【０３３０】
更に、補回金庫が現金処理装置または自動取引装置から取外された後の経過時間を計測し、経過時間が所定の時間を超えた時に金庫報知部により装着忘れ警報を発するようにしたことによって、装着忘れを防止することができると共に補回金庫の不正持出しを検出することが可能になる。
【０３３１】
更に、現金処理装置の処理装置記憶部に補回金庫へ充填する金種毎の紙幣枚数と充填開始日時とを格納して予約しておき、現金処理装置が充填開始日時に装着されている補回金庫へ自動的に金種毎の紙幣枚数を充填するようにしたことによって、係員が補回金庫への紙幣の充填時に現金処理装置についている必要がなくなり、係員の業務効率を向上させることができる。
【０３３２】
更に、現金処理装置の文字読取部により補回金庫へ充填する金種毎の紙幣枚数を記載した伝票からその金種毎の紙幣枚数を読取り、読取った金種毎の紙幣枚数を補回金庫へ充填するようにしたことによって、係員は入力操作の必要がなくなり、補充紙幣の充填時の係員の負荷を軽減することができる。
【０３３３】
更に、現金処理装置または自動取引装置への補充紙幣または回収紙幣の運搬に用いる補回金庫が複数の場合に、その数を金庫記憶部に格納し、これにより現金処理装置または自動取引装置が複数の補回金庫による補充紙幣または回収紙幣の運搬であることを認識するようにしたことによって、多量の紙幣を補充または回収する場合においても業務を分ける必要がなくなり、一つの業務番号で業務を行うことが可能となる。
【０３３４】
更に、自動取引装置が補回金庫の金庫記憶部に補回金庫へ回収した金種毎の紙幣枚数を格納し、これにより現金処理装置が小束施封する金種を自動的に選定するようにしたことによって、小束施封処理の無駄を廃して必要最小限の金種のみを小束に施封することができ、処理時間の短縮を図ることができる。
【０３３５】
更に、店舗に一括して現金の移動を監視する監視端末を設け、監視端末により在高情報を管理するようにしたことによって、通信回線の故障等により店舗の自動取引装置への補充の停滞を排除して通信回線の故障時においても円滑に自動取引装置への補充を行うことができる。
【０３３６】
更に、店舗に設置した監視端末から現金処理装置が紙幣を補充しようとする自動取引装置の在高情報を取得してその補充金額を自動的に算出するようにしたことによって、係員の入力操作を軽減することができると共に、過剰補充を排除して自動取引装置への適正な現金補充を行うことができる。
【０３３７】
更に、現金処理装置が監視端末から自動取引装置毎の在高情報を取得し、補回収金庫が装着された時に、紙幣の補充が必要な自動取引装置のＡＴＭ機番とその補充金額を通知するようにしたことによって、在高の少ない自動取引装置を自動的に検出して自動取引装置への適正な現金補充を行うことができると共に係員の負荷を軽減することができる。
【０３３８】
更に、補回金庫の複数色のランプにより補回金庫の運用状況を異なった色で表示するようにしたことによって、係員は即座に補回金庫の運用状況を知ることが可能になり、「未使用」の補回金庫を効率よく見つけ出すことができる。
【０３３９】
第２実施の形態例
図１６は第２実施の形態を示すブロック図、図１７は第２実施の形態の現金処理装置を示すブロック図、図１８は第２実施の形態の自動取引装置を示すブロック図、図１９は第２実施の形態の補回金庫を示すブロック図、図２０は第２実施の形態の監視端末を示すブロック図である。
【０３４０】
なお、上記第１実施の形態例と同様の部分は、同一の符号を付してその説明を省略する。
【０３４１】
図１６において、５１は店舗の全ての出入口に設置された監視ゲートであり、無線通信機能を有しており、図示しない近接センサにより接近する補回金庫３を検知した時にその金庫記憶部３３の金庫情報を読取る機能を有して監視ゲート５１を通過する補回金庫３を監視する。
【０３４２】
また、監視ゲート５１は、店内ＬＡＮ５と接続して現金処理装置１、自動取引装置２、監視端末４と有線によるデータ通信機能を有すると共に、図１６に破線で示した無線ＬＡＮ等の無線ネットワーク５２を介して現金処理装置１、自動取引装置２、監視端末４および補回金庫３との無線による相互のデータ通信機能を有している。
【０３４３】
図１７において、５３は電子錠等等の自動ロック機構であり、現金処理装置１の現金処理装置扉に設けられ、処理装置制御部６の指令により現金処理装置扉を自動的に開錠、施錠すると共に現金処理装置扉の開閉を検知する機能を有している。
【０３４４】
５４は近接センサであり、赤外線等を利用した光学式等のセンサであって、補回金庫３等の現金処理装置１への接近を検知する。
【０３４５】
５５は現金処理装置１に装備された処理装置無線通信部であり、処理装置制御部６が送受信するデータを無線により無線ネットワーク５２に接続する機能を有している。
【０３４６】
図１８において、６１は自動取引装置２に装備されたＡＴＭ無線通信部であり、ＡＴＭ制御部２１が送受信するデータを無線により無線ネットワーク５２に接続する機能を有している。
【０３４７】
図１９において、７１は補回金庫３に装備された金庫無線通信部であり、金庫制御部３１が送受信するデータを無線により無線ネットワーク５２に接続する機能を有している。
【０３４８】
図２０において、８１は監視端末４に装備された端末無線通信部であり、端末制御部４１が送受信するデータを無線により無線ネットワーク５２に接続する機能を有している。
【０３４９】
上記の構成の作用について説明する。
【０３５０】
なお、図８に示す現金処理装置１の補充紙幣充填処理の作動、図９に示す現金処理装置１の充填予約処理の作動、図１１に示す自動取引装置２のＡＴＭ業務処理の作動および図１４に示す現金処理装置１の紙幣回収処理の作動は、上記第１実施の形態例と同様であるのでその説明を省略する。
【０３５１】
この場合に、現金処理装置１と自動取引装置２および監視端末４とのデータの送受は、第１実施の形態例と同様に店内ＬＡＮ５を介した有線によるデータ通信であっても、無線ネットワーク５２を介した無線によるデータ通信であってもよいが、情報の漏洩防止等の観点から有線によるデータ通信とするのが望ましい。
【０３５２】
以下に、図２１に示すフローチャートを用いて現金処理装置１の処理装置業務処理の作動について説明する。
【０３５３】
なお、上記第１実施の形態例（図７）と同様のステップは、同一のステップ番号で示してその説明を省略する。
【０３５４】
また、本実施の形態で追加された作動はステップ名をＳＬ１００として示す。
【０３５５】
本実施の形態では、ステップＳ１〜Ｓ４（図７）の待機状態に以下のステップが追加される。
【０３５６】
すなわち、ステップＳ１において、現金処理装置１の処理装置制御部６は、監視情報を受信しない場合はステップＳＬ１０１へ移行する。
【０３５７】
ＳＬ１０１、処理装置制御部６は、自動取引装置２（後述する図２４のステップＳＱ１０１）からの回収金庫通知の受信を待つ回収金庫通知受信待状態で待機し、回収金庫通知を受信した時にステップＳＬ１０２へ移行する。
【０３５８】
回収金庫通知を受信しない場合はステップＳ４へ移行する。
【０３５９】
ＳＬ１０２、回収金庫通知を受信した処理装置制御部６は、回収金庫通知に含まれる補回金庫３の金庫ＩＤを処理装置記憶部７に一時保存する。
【０３６０】
ＳＬ１０３、処理装置制御部６は、近接センサ５４により補回金庫３等の接近を監視して待機し、補回金庫３等の接近を検知したときに補回金庫３（後述する図２２のステップＳＮ１０２）へ無線ネットワーク５２を介して金庫情報送信依頼を送信して補回金庫３からの返信を待つ補回金庫検知待状態で待機し、補回金庫３（図２２のステップＳＮ１０３）からの金庫情報の返信を受取った場合にステップＳＬ１０４へ移行する。
【０３６１】
近接センサ５４が接近を検知しない場合や金庫情報の返信がなかった場合はステップＳ４へ移行する。
【０３６２】
ＳＬ１０４、金庫情報の返信を受取った処理装置制御部６は、その金庫情報の金庫ＩＤと上記ステップＳＬ１０２で一時保存した自動取引装置２からの回収金庫通知に含まれていた金庫ＩＤとを比較し、金庫ＩＤが一致した場合はステップＳＬ１０５へ、不一致の場合はステップＳ４へ移行する。
【０３６３】
ＳＬ１０５、金庫ＩＤが一致したことにより回収紙幣が充填された補回金庫３が補充回収部１０に装着されることを認識した処理装置制御部６は、自動ロック機構５３へ開錠信号を送信して現金処理装置扉を自動的に開放し、上記ステップＳＬ１０２で一時保存した金庫ＩＤを消去してステップＳ４へ移行する。
【０３６４】
その後のステップＳ４以降の作動は、第１実施の形態例の場合と同様である。
【０３６５】
そして、第１実施の形態例（図８）と同様にして現金処理装置１による補充紙幣充填処理が行われ、補回金庫３に自動取引装置２への補充紙幣が充填される。
【０３６６】
以下に、補回金庫３の運用処理の作動について図２２に示すフローチャートを用いて補回金庫３が現在装着されており、補回金庫３へ紙幣を充填する装置である現金処理装置１の補充回収部１０から補回金庫３を取外し、運搬先の装置である自動取引装置２のＡＴＭ紙幣入出金部２６へ装着して自動取引装置２への紙幣の補充を行う場合の作動について説明する。
【０３６７】
現金処理装置１への紙幣の回収を行う場合の作動については後述する。
【０３６８】
なお、上記第１実施の形態例（図１０）と同様のステップは、同一のステップ番号で示してその説明を省略する。
【０３６９】
また、本実施の形態で追加された作動はステップ名をＳＮ１００として示す。
【０３７０】
本実施の形態では、ステップＳＣ４〜ＳＣ８（図１０）の待機状態に以下のステップが追加される。
【０３７１】
すなわち、ステップＳＣ５において、補回金庫３の金庫制御部３１は、金庫扉開日時を金庫記憶部３３の金庫情報の運用履歴情報に追加して格納した後、ステップＳＮ１０１へ移行する。
【０３７２】
ＳＮ１０１、金庫扉開日時の格納を終えた金庫制御部３１は、その金庫扉開日時に金庫ＩＤを添付した金庫扉開情報を金庫無線通信部７１により無線ネットワーク５２を介して監視端末４（図２６のステップＳＴ１０１）へ送信する。
【０３７３】
ＳＮ１０２、金庫制御部３１は、金庫無線通信部７１により現金処理装置１（後述する図２６のステップＳＳ１０１）や監視ゲート５１（後述する図２５のステップＳＲ１０２）から無線により送信される金庫情報送信依頼の着信を待つ金庫情報送信依頼待状態で待機し、金庫情報送信依頼を受信した時にステップＳＮ１０３へ移行する。
【０３７４】
金庫情報送信依頼を受信しない場合はステップＳＣ６へ移行する。
【０３７５】
ＳＮ１０３、金庫情報送信依頼を受信により、現金処理装置１への接近または監視ゲート５１の通過を検知した金庫制御部３１は、金庫記憶部３３に格納されている金庫情報をその依頼元へ無線ネットワーク５２を介して送信する。
【０３７６】
ＳＮ１０４、金庫情報の送信を終えた金庫制御部３１は、金庫記憶部３３に格納されている金庫情報の運用状況を参照し、運用状況が「運搬中」であることにより紙幣が充填されていることを認識し、依頼元が監視ゲート５１である場合に補回金庫３に紙幣が充填されたまま外部へ持出される監視ゲート５１の不正通過であるとしてステップＳＮ１０５へ移行する。
【０３７７】
その他の場合は、ステップＳＣ６へ移行する。
【０３７８】
ＳＮ１０５、監視ゲート５１の不正通過であると検出した金庫制御部３１は、金庫報知部３７のブザーおよび／もしくはスピーカにより警報を発して不正持出しであることを報知し、警報を発したまま役席者等の処置を待って待機する。
【０３７９】
ステップＳＣ６へ移行した金庫制御部３１は、経過時間が所定時間を超えた時にステップＳＣ７へ移行し、装着忘れ警報を報知した後にステップＳＮ１０７へ移行する。
【０３８０】
ＳＮ１０７、装着忘れ警報を報知した金庫制御部３１は、その装着忘れ日時に金庫情報の金庫ＩＤ、係員ＩＤ等を添付した装着忘れ情報を無線ネットワーク５２を介して監視端末４（後述する図２６のＳＴ１０３）へ送信してステップＳＣ８へ移行する。
【０３８１】
その後のステップＳＣ８以降の作動は第１実施の形態例の場合と同様である。
【０３８２】
このようにして補回金庫３により運搬された補充紙幣を自動取引装置２へ補充する場合の自動取引装置２の紙幣補充処理の作動について図２３に示すフローチャートを用いて説明する。
【０３８３】
なお、上記第１実施の形態例（図１２）と同様のステップは、同一のステップ番号で示してその説明を省略する。
【０３８４】
また、本実施の形態で追加された作動はステップ名をＳＰ１００として示す。
【０３８５】
本実施の形態では、ステップＳＥ２（図１２）の後に以下のステップが追加される。
【０３８６】
ＳＰ１０１、金庫情報を読み出したＡＴＭ制御部２１は、金庫情報を正常に読み出した場合はステップＳＥ３へ移行する。
【０３８７】
金庫情報を正常に読み出せなかった場合はステップＳＰ１０２へ移行する。
【０３８８】
ＳＰ１０２、金庫情報を正常に読み出せなかった自動取引装置２のＡＴＭ制御部２１は、監視端末４へ補回金庫情報の問合を実行する。
【０３８９】
すなわち、ＡＴＭ制御部２１は、補回金庫情報の問合を電文にして有線または無線により監視端末４（後述する図２６のステップＳＫ１１）へ送信する。
【０３９０】
監視端末４（後述する図２６のステップＳＫ１２）からは充填確定情報と金庫扉開日時からなる補回金庫情報が返信される。
【０３９１】
これにより、以後の紙幣補充処理に必要な金庫情報、つまり業務番号、合計金庫個数、充填枚数確定日時、充填されている金種毎の紙幣枚数、金庫扉開日時等の情報を取得することができ、紙幣補充処理を遅滞なく行え、業務効率を向上させることができる。
【０３９２】
ＡＴＭ制御部２１は、上記のようにして必要な金庫情報を取得した後、ステップＳＥ３へ移行する。
【０３９３】
その後のステップＳＥ３以降の作動は第１実施の形態例の場合と同様である。
【０３９４】
以上のようにして、本実施の形態の補回金庫３による現金処理装置１から自動取引装置２への紙幣の補充が行われる。
【０３９５】
次に、補回金庫３による自動取引装置２から現金処理装置１へ紙幣を回収する場合の作動について図２４に示すフローチャートを用いて説明する。
【０３９６】
なお、上記第１実施の形態例（図１３）と同様のステップは、同一のステップ番号で示してその説明を省略する。
【０３９７】
また、本実施の形態で追加された作動はステップ名をＳＱ１００として示す。
【０３９８】
本実施の形態では、ステップＳＦ５（図１３）の後に以下のステップが追加される。
【０３９９】
ＳＱ１０１、補回金庫３への書込情報の送信を終えたＡＴＭ制御部２１は、回収紙幣を充填した補回金庫３の金庫ＩＤを有線または無線により現金処理装置１（図２１のステップＳＬ１０１）へ送信してステップＳＦ６へ移行する。
【０４００】
その後のステップＳＦ６以降の作動は第１実施の形態例の場合と同様である。
【０４０１】
このようにして回収紙幣が充填された補回金庫３または現金処理装置１により補充紙幣が充填された補回金庫３が、監視ゲート５１を通過しようとする場合の監視ゲート５１の金庫通過処理の作動について図２５を用い、ＳＲ１００で示すステップに従って説明する。
【０４０２】
ＳＲ１０１、監視ゲート５１は、現金処理装置１の近接センサ５４と同様の図示しない近接センサにより補回金庫３等の接近を監視して待機しており、補回金庫３等の接近を検知した時にステップＳＲ１０２へ移行する。
【０４０３】
ＳＲ１０２、補回金庫３等の接近を検知した監視ゲート５１は、補回金庫３（図２２のステップＳＮ１０２）へ無線ネットワーク５２を介して金庫情報送信依頼を送信する。
【０４０４】
ＳＲ１０３、そして補回金庫３（図２２のステップＳＮ１０３）からの金庫情報の返信を受取った場合であって、その金庫情報の運用状況が「運搬中」であるときにステップＳＲ１０４へ移行する。
【０４０５】
それ以外のとき、例えば金庫情報の運用状況が「未使用」や「故障」の場合や返信がなかった場合等のときは、ステップＳＲ１０１へ戻って補回金庫３等の接近を監視して待機する。
【０４０６】
ＳＲ１０４、通過しようとする補回金庫３の運用状況が「運搬中」であることにより紙幣が充填された補回金庫３の監視ゲート５１の不正通過であることを検出した監視ゲート５１は、その通過日時や金庫ＩＤ、係員ＩＤ等からなる通過情報を作成し、これを有線または無線により監視端末４（後述する図２６のステップ１０５）へ送信する。
【０４０７】
その後、監視ゲート５１はステップＳＲ１０１へ戻って補回金庫３等の接近を監視して待機する。
【０４０８】
なお、補回金庫３の監視ゲート５１への接近の検知は、近接センサの設置を省略して補回金庫３の金庫無線通信部７１が所定の時間間隔でまたは常に発する微弱な電波によって検知するようにしてもよい。
【０４０９】
また、自動取引装置２により回収紙幣が充填された補回金庫３による現金処理装置１への紙幣の回収の場合の作動は、上記第１実施の形態例の場合と同様に、補回金庫３へ紙幣を充填する装置が自動取引装置２のＡＴＭ紙幣入出金部２６であり、運搬先の装置が現金処理装置１の補充回収部１０であることが異なる以外は、上記の図２２を用いて説明した補回金庫３による自動取引装置２への紙幣の補充の場合の補回金庫３の運用処理の作動と同様であるのでその説明を省略する。
【０４１０】
このような現金処理システムの自動取引装置２への補充紙幣の運搬や現金処理装置１への回収紙幣の運搬等の紙幣等の移動の監視は監視端末４により行われる。
【０４１１】
以下に、監視端末４による監視処理の作動について図２６に示すフローチャートを用いて説明する。
【０４１２】
なお、上記第１実施の形態例（図１５）と同様のステップは、同一のステップ番号で示してその説明を省略する。
【０４１３】
また、本実施の形態で追加された作動はステップ名をＳＴ１００として示す。
【０４１４】
本実施の形態では、ステップＳＫ１〜ＳＫ１７（図１５）の待機状態に以下のステップが追加される。
【０４１５】
すなわち、ステップＳＫ９において、監視端末４の端末制御部４１は、充填確定情報を受信しない場合はステップＳＴ１０１へ移行する。
【０４１６】
ＳＴ１０１、端末制御部４１は、端末無線通信部４１により補回金庫３（図２２のステップＳＮ１０１）からの金庫扉開情報の無線による受信を待つ金庫扉開情報受信待状態で待機し、金庫扉開情報を受信した時にステップＳＴ１０２へ移行する。
【０４１７】
金庫扉開情報を受信しなかった場合はステップＳＴ１０３へ移行する。
【０４１８】
ＳＴ１０２、金庫扉開情報を受信した端末制御部４１は、金庫扉開情報の金庫ＩＤを基に端末記憶部４２の補回金庫情報を検索し、該当する補回金庫情報に受信した金庫扉開日時を追加して格納する。
【０４１９】
従って、本実施の形態ではステップＳＫ１１において自動取引装置２（図２３のステップＳＰ１０２）からの補回金庫情報の問合があった時に充填確定情報に加えて運用履歴情報としての金庫扉開日時も発信元の自動取引装置２へ送信される。
【０４２０】
この場合に、端末制御部４１が金庫扉が開けられた旨の文言と金庫扉開情報の金庫扉開日時および補回金庫情報の金庫ＩＤや係員ＩＤ等を端末表示部４３に表示すると共に端末報知部４４のブザーおよび／もしくはスピーカにより金庫扉開警報を報知するようにしてもよい。
【０４２１】
ＳＴ１０３、端末制御部４１は、端末無線通信部８１により補回金庫３（図２２のステップＳＮ１０７）からの装着忘れ情報の無線による受信を待つ装着忘れ情報受信待状態で待機し、装着忘れ情報を受信した時にステップＳＴ１０４へ移行する。
【０４２２】
装着忘れ情報を受信しなかった場合はステップＳＴ１０５へ移行する。
【０４２３】
ＳＴ１０４、装着忘れ情報を受信した端末制御部４１は、装着忘れ情報の装着忘れ日時や金庫ＩＤ、係員ＩＤ等を端末表示部４３に表示すると共に端末報知部４４のブザーおよび／もしくはスピーカにより装着忘れ警報を報知し、装着忘れ情報を端末記憶部４２に格納する。
【０４２４】
ＳＴ１０５、端末制御部４１は、有線または無線により監視ゲート５１（図２５のステップＳＲ１０４）からの通過情報の受信を待つ通過情報受信待状態で待機し、通過情報を受信した時にステップＳＴ１０６へ移行する。
【０４２５】
通過情報を受信しなかった場合はステップＳＫ１１へ移行する。
【０４２６】
ＳＴ１０６、通過情報を受信した端末制御部４１は、これにより補回金庫３の監視ゲート５１の不正通過を認識し、不正持出しの旨の文言および通過情報の通過日時や金庫ＩＤ、係員ＩＤ等を端末表示部４３に表示すると共に端末報知部４４のブザーおよび／もしくはスピーカにより補回金庫通過警報を報知し、受信した通過情報を端末記憶部４２へ格納してステップＳＫ１１へ移行する。
【０４２７】
その後のステップＳＫ１１以降の作動は、第１実施の形態例の場合と同様である。
【０４２８】
なお、係員が特定の補回金庫３の所在を確認する場合には、以下のようにして監視端末４によりその所在を確認する。
【０４２９】
すなわち、係員は監視端末４に所在の確認を行う補回金庫３の金庫ＩＤを入力する。
【０４３０】
これを認識した端末制御部４１は、金庫ＩＤを付した探索信号を無線ネットワーク５２を介して無線により送信する。
【０４３１】
この探索信号を受信した補回金庫３の金庫制御部３１は、金庫記憶部３３に格納されている金庫ＩＤと探索信号に付された金庫ＩＤが一致する場合に、その金庫報知部４４のブザーおよび／もしくはスピーカによりその所在を報知すると共にランプ３８を点滅させる等によりその所在を報知する。
【０４３２】
そして、金庫制御部３１は、金庫報知部４４やランプ３８による報知を継続したままその応答通知を無線ネットワーク５２を介して監視端末４へ送信する。
【０４３３】
応答通知を受信した端末制御部４１は、補回金庫３の所在が確認できた旨の文言をその端末表示部４３の画面に表示する。
【０４３４】
一定の時間を経過しても応答通知を受信しない場合は、その補回金庫３の所在が不明である旨の文言を端末表示部４３の画面に表示する。
【０４３５】
これにより、補回金庫３が自動取引装置２に装着されたままになっている場合を含めて補回金庫３の所在を即座に確認することができると共に、応答通知がない場合には、不正発生の可能性を知得することができる。
【０４３６】
以上説明したように、本実施の形態では、第１実施の形態例の効果に加えて、店舗内の現金処理装置、自動取引装置、監視端末および補回金庫を無線ネットワークにより無線で接続したことによって、運搬中の補回金庫からも各種の情報を取得することが可能となり、一台の監視端末により一括して店舗内を監視することができ、監視員の負荷を軽減することができると共に、不正や装着忘れの発生等を即座に知ることができ、不正行為を未然に防止することができる。
【０４３７】
また、自動取引装置が回収紙幣を補回金庫に充填した時にその金庫ＩＤを現金処理装置に通知し、現金処理装置がその補回金庫の接近を無線により検出して現金処理装置扉を自動的に開放するようにしたことによって、現金処理装置への補回金庫の装着を容易に行うことができ、紙幣を運搬する係員の負荷を軽減することができる。
【０４３８】
更に、店舗の出入口に設けた監視ゲートが、無線により「運搬中」の補回金庫の通過を監視するようにしたことによって、無用な警報を排除して確実に不正持出しを検出することができる。
【０４３９】
【発明の効果】
以上述べたように、本発明は、補充回収金庫へ充填した現金の充填枚数確定日時と金庫扉開日時とを補充回収金庫の金庫情報に格納し、充填枚数確定日時より後の金庫扉開日時が格納されている場合に現金の運搬中に補充回収金庫の金庫扉が開けられたことを検出するようにしたことによって、補充や回収のための現金の運搬中に金庫扉が開けられたことを正しく判定することができるという効果が得られる。
【０４４０】
また、補充回収金庫への現金の充填時に金庫記憶部にその運搬先装置名を格納しておき、この運搬先装置名と補充回収金庫が装着された装置の記憶部に格納されている機番との不一致を認識した時に正しい運搬先装置名を表示するようにしたことによって、間違えて装着した補充回収金庫の正しい装着先を係員が容易に知ることができ、無用の混乱を未然に防止することができると共に円滑な現金の補充または回収を行うことができるという効果が得られる。
【０４４１】
更に、店舗に一括して現金の移動を監視する監視端末を設け、監視端末により在高情報を管理するようにしたことによって、通信回線の故障等により店舗の自動取引装置への補充の停滞を排除して通信回線の故障時においても円滑に自動取引装置への補充を行うことができるという効果が得られる。
【０４４２】
更に、店舗内の現金処理装置、自動取引装置、監視端末および補回金庫を無線により接続したことによって、運搬中の補回金庫からも各種の情報を取得することが可能となり、一台の監視端末により一括して店舗内を監視することができ、監視員の負荷を軽減することができるという効果が得られる。
【図面の簡単な説明】
【図１】第１実施の形態を示すブロック図
【図２】第１実施の形態の現金処理装置を示すブロック図
【図３】第１実施の形態の自動取引装置を示すブロック図
【図４】第１実施の形態の補回金庫を示すブロック図
【図５】第１実施の形態の監視端末を示すブロック図
【図６】第１実施の形態の金庫情報のデータ構成を示す説明図
【図７】第１実施の形態の現金処理装置の処理装置業務処理を示すフローチャート
【図８】第１実施の形態の現金処理装置の補充紙幣充填処理を示すフローチャート
【図９】第１実施の形態の現金処理装置の充填予約処理を示すフローチャート
【図１０】第１実施の形態の補回金庫の運用処理を示すフローチャート
【図１１】第１実施の形態の自動取引装置のＡＴＭ業務処理を示すフローチャート
【図１２】第１実施の形態の自動取引装置の紙幣補充処理を示すフローチャート
【図１３】第１実施の形態の自動取引装置の回収紙幣充填処理を示すフローチャート
【図１４】第１実施の形態の現金処理装置の紙幣回収処理を示すフローチャート
【図１５】第１実施の形態の監視端末の監視処理を示すフローチャート
【図１６】第２実施の形態を示すブロック図
【図１７】第２実施の形態の現金処理装置を示すブロック図
【図１８】第２実施の形態の自動取引装置を示すブロック図
【図１９】第２実施の形態の補回金庫を示すブロック図
【図２０】第２実施の形態の監視端末を示すブロック図
【図２１】第２実施の形態の現金処理装置の処理装置業務処理を示すフローチャート
【図２２】第２実施の形態の補回金庫の運用処理を示すフローチャート
【図２３】第２実施の形態の自動取引装置の紙幣補充処理を示すフローチャート
【図２４】第２実施の形態の自動取引装置の回収紙幣充填処理を示すフローチャート
【図２５】第２実施の形態の監視ゲートの金庫通過監視処理を示すフローチャート
【図２６】第２実施の形態の監視端末の監視処理を示すフローチャート
【符号の説明】
１    現金処理装置
２    自動取引装置
３    補回金庫
４    監視端末
５    店内ＬＡＮ
６    処理装置制御部
７    処理装置記憶部
８    処理装置表示操作部
９    入力部
９ａ  処理装置カードリーダ
９ｂ  キーボード
９ｃ  指示ボタン
１０  補充回収部
１１  処理装置紙幣入出金部
１２  小束施封部
１３  文字読取部
１４  印刷部
１５  処理装置報知部
２１  ＡＴＭ制御部
２２  ＡＴＭ記憶部
２３  顧客操作部
２４  カード取扱部
２５  通帳取扱部
２６  ＡＴＭ紙幣入出金部
２７  ジャーナルプリンタ
２８  係員操作部
２８ａ  ＡＴＭ表示操作部
２８ｂ  ＡＴＭカードリーダ
３１  金庫制御部
３２  接続部
３３  金庫記憶部
３４  金庫表示部
３５  金庫扉開閉検知部
３６  紙幣搬送部
３７  金庫報知部
３８  ランプ
４１  端末制御部
４２  端末記憶部
４３  端末表示部
４４  端末報知部
５１  監視ゲート
５２  無線ネットワーク
５３  自動ロック機構
５４  近接センサ
５５  処理装置無線通信部
６１  ＡＴＭ無線通信部
７１  金庫無線通信部
８１  端末無線通信部
【図１】
2004362032.tif 000004
【図２】
2004362032.tif 000005
【図３】
2004362032.tif 000006
【図４】
2004362032.tif 000007
【図５】
2004362032.tif 000008
【図６】
2004362032.tif 000009
【図７】
2004362032.tif 000010
【図８】
2004362032.tif 000011
【図９】
2004362032.tif 000012
【図１０】
2004362032.tif 000013
【図１１】
2004362032.tif 000014
【図１２】
2004362032.tif 000015
【図１３】
2004362032.tif 000016
【図１４】
2004362032.tif 000017
【図１５】
2004362032.tif 000018
【図１６】
2004362032.tif 000019
【図１７】
2004362032.tif 000020
【図１８】
2004362032.tif 000021
【図１９】
2004362032.tif 000022
【図２０】
2004362032.tif 000023
【図２１】
2004362032.tif 000024
【図２２】
2004362032.tif 000025
【図２３】
2004362032.tif 000026
【図２４】
2004362032.tif 000027
【図２５】
2004362032.tif 000028
【図２６】
2004362032.tif 000029